(57)【要約】【課題】    冷却流体により光変調素子を冷却し、光変調素子が複数で構成された場合であっても小型化が図れる光学装置、およびプロジェクタを提供する。【解決手段】光学装置４４は、内部に冷却流体が封入される冷却室がそれぞれ形成され、冷却室内の冷却流体に対して熱伝達可能に３つの光変調素子をそれぞれ保持する３つの光変調素子保持体４４０２Ｒ，４４０２Ｇ，４４０２Ｂと、３つの光変調素子保持体４４０２Ｒ，４４０２Ｇ，４４０２Ｂの各冷却室と連通接続され、冷却流体を各冷却室外部に案内し、再度、各冷却室に導く複数の流体循環部材４４８とを備える。そして、複数の流体循環部材４４８のうち流体循環部材４４８Ｂ，４４８Ｃは、３つの光変調素子保持体４４０２Ｒ，４４０２Ｇ，４４０２Ｂの各冷却室を直列に接続し、直列に接続した各冷却室に冷却流体を順に流通させる。【選択図】 図４
2005249950.tif 000002
【特許請求の範囲】
【請求項１】
光源から射出された光束を画像情報に応じて変調して光学像を形成する複数の光変調素子を含んで構成される光学装置であって、
内部に冷却流体が封入される冷却室がそれぞれ形成され、前記冷却室内の冷却流体に対して熱伝達可能に前記複数の光変調素子をそれぞれ保持する複数の光変調素子保持体と、
前記複数の光変調素子保持体の各冷却室と連通接続され、前記冷却流体を前記各冷却室外部に案内し、再度、前記各冷却室に導く複数の流体循環部材とを含んで構成され、
前記複数の流体循環部材のうち少なくともいずれかの流体循環部材は、前記各冷却室のうち少なくとも２つの冷却室を直列に接続し、前記直列に接続した各冷却室に前記冷却流体を順に流通させることを特徴とする光学装置。
【請求項２】
請求項１に記載の光学装置において、
前記複数の光変調素子保持体を取り付けるための複数の光束入射側端面を有し、前記複数の光変調素子にて変調された各光束を合成する色合成光学装置と、
前記色合成光学装置における前記複数の光束入射側端面に交差する端面のうち少なくともいずれかの端面に取り付けられ、内部の冷却流体を前記各冷却室に送出するとともに、前記各冷却室から流出した冷却流体を一括して送入する冷却流体中継部とを備えていることを特徴とする光学装置。
【請求項３】
請求項２に記載の光学装置において、
前記冷却流体中継部は、前記色合成光学装置における前記複数の光束入射側端面に交差する端面のうちいずれか一方の端面にのみ取り付けられ、内部の空間を２つの領域に区画する隔壁を有し、前記２つの領域のうちいずれか一方の領域内部の冷却流体を前記各冷却室に送出するとともに、前記各冷却室から流出した冷却流体を他方の領域内部に送入することを特徴とする光学装置。
【請求項４】
請求項３に記載の光学装置において、
前記光変調素子保持体は、前記流体循環部材が接続され前記冷却室に前記冷却流体を流入させる流入口と、前記流体循環部材が接続され前記冷却室内部の前記冷却流体を外部に流出させる流出口とを有し、
前記流入口および前記流出口は、前記光変調素子保持体が前記色合成光学装置に取り付けられた状態で、前記光変調素子保持体における前記冷却流体中継部が取り付けられる前記一方の端面側の一側端部にそれぞれ形成されていることを特徴とする光学装置。
【請求項５】
請求項４に記載の光学装置において、
前記光変調素子保持体は、前記光変調素子の画像形成領域に応じてそれぞれ開口が形成され前記光変調素子を挟持する一対の枠状部材と、前記一対の枠状部材における対向する面と反対の面側にそれぞれ配置される透光性基板とを含んで構成され、
前記冷却室は、前記一対の枠状部材の前記開口における前記対向する面側、および前記対向する面と反対の面側が前記光変調素子および前記透光性基板にてそれぞれ閉塞されることにより、前記一対の枠状部材のうちいずれか一方の枠状部材の内部に形成される第１冷却室と、他方の枠状部材の内部に形成される第２冷却室とで構成され、
前記流入口および前記流出口は、前記光変調素子保持体が前記色合成光学装置に取り付けられた状態で、前記一方の枠状部材における前記冷却流体中継部が取り付けられる前記一方の端面側の一側端部にそれぞれ形成され、
前記一対の枠状部材は、前記第１冷却室および前記第２冷却室を連通接続する連通口を有し、
前記連通口は、前記一側端部に対向する側端部側に配置され前記第１冷却室内の前記一側端部側から前記一側端部に対向する側端部側に流通した冷却流体を前記第２冷却室内に流入させる第１連通口と、前記一側端部側に配置され前記第２冷却室内の前記一側端部に対向する側端部側から前記一側端部側に流通した冷却流体を前記第１冷却室内に流入させる第２連通口とで構成されていることを特徴とする光学装置。
【請求項６】
請求項５に記載の光学装置において、
前記一方の枠状部材における前記対向する面と反対の面には、前記開口周縁の前記一側端部側に、照射される光束の光軸方向に向けて窪む凹部が形成され、
前記流入口および前記流出口は、前記凹部の側壁に貫通するようにそれぞれ形成され、
前記凹部には、前記第２連通口および前記流出口と前記第１連通口および前記流入口とを平面的に区画し、前記第２連通口を介して前記第２冷却室内から前記第１冷却室内に流入した冷却流体を前記流出口に流通させる隔壁が形成されていることを特徴とする光学装置。
【請求項７】
請求項２に記載の光学装置において、
前記冷却流体中継部は、前記色合成光学装置における前記複数の光束入射側端面に交差する端面のうちいずれか一方の端面に取り付けられ内部の冷却流体を前記各冷却室に送出する第１中継部と、前記色合成光学装置における前記複数の光束入射側端面に交差する端面のうちいずれか他方の端面に取り付けられ前記各冷却室から流出した冷却流体を一括して送入する第２中継部とで構成されていることを特徴とする光学装置。
【請求項８】
請求項７に記載の光学装置において、
前記光変調素子保持体は、前記流体循環部材が接続され前記冷却室に前記冷却流体を流入させる流入口と、前記流体循環部材が接続され前記冷却室内部の前記冷却流体を外部に流出させる流出口とを有し、
前記流入口および前記流出口は、前記光変調素子保持体が前記色合成光学装置に取り付けられた状態で、前記光変調素子保持体における前記第１中継部が取り付けられる前記一方の端面側の側端部、および前記光変調素子保持体における前記第２中継部が取り付けられる前記他方の端面側の側端部にそれぞれ形成されていることを特徴とする光学装置。
【請求項９】
請求項８に記載の光学装置において、
前記光変調素子保持体は、前記光変調素子の画像形成領域に応じてそれぞれ開口が形成され前記光変調素子を挟持する一対の枠状部材と、前記一対の枠状部材における対向する面と反対の面側にそれぞれ配置される透光性基板とを含んで構成され、
前記冷却室は、前記一対の枠状部材の前記開口における前記対向する面側、および前記対向する面と反対の面側が前記光変調素子および前記透光性基板にてそれぞれ閉塞されることにより、前記一対の枠状部材のうちいずれか一方の枠状部材の内部に形成される第１冷却室と、他方の枠状部材の内部に形成される第２冷却室とで構成され、
前記一対の枠状部材は、前記第１冷却室および前記第２冷却室を連通接続する連通口を有していることを特徴とする光学装置。
【請求項１０】
請求項９に記載の光学装置において、
前記流入口は、前記光変調素子保持体が前記色合成光学装置に取り付けられた状態で前記一方の枠状部材における前記第１中継部が取り付けられる前記一方の端面側の側端部に形成され、
前記流出口は、前記光変調素子保持体が前記色合成光学装置に取り付けられた状態で前記他方の枠状部材における前記第２中継部が取り付けられる前記他方の端面側の側端部に形成され、
前記連通口は、前記流入口を介して内部に流入した冷却流体を前記第１冷却室および前記第２冷却室に分流する分流口と、前記第１冷却室内を流通する冷却流体を前記第２冷却室内に流入させる合流口とで構成され、
前記分流口および前記合流口は、前記流入口から前記分流口を介して前記流出口に向かう前記冷却流体の流路の長さと、前記流入口から前記合流口を介して前記流出口に向かう前記冷却流体の流路の長さとが略同一となる位置にそれぞれ形成されていることを特徴とする光学装置。
【請求項１１】
請求項２から請求項９のいずれかに記載の光学装置において、
前記複数の流体循環部材のうち少なくともいずれかの流体循環部材は、前記色合成光学装置における複数の光束入射側端面のうち隣接する少なくとも２つの光束入射側端面に取り付けられる少なくとも２つの光変調素子保持体の各冷却室を直列に接続し、前記直列に接続した各冷却室に前記冷却流体を順に流通させることを特徴とする光学装置。
【請求項１２】
光源装置と、請求項１から請求項１１のいずれかに記載の光学装置と、前記光学装置にて形成された光学像を拡大投射する投射光学装置とを備えていることを特徴とするプロジェクタ。
【発明の詳細な説明】
【技術分野】
【０００１】
本発明は、光学装置、およびプロジェクタに関する。
【背景技術】
【０００２】
従来、光源から射出された光束を画像情報に応じて変調して光学像を形成する複数の光変調装置と、各光変調装置で変調された光束を合成して射出する色合成光学装置と、色合成光学装置にて合成された光束を拡大投射する投射光学装置とを備えるプロジェクタが知られている。
このうち、光変調装置としては、例えば、アクティブマトリックス駆動方式の光変調素子が一般的に採用される。具体的に、この光変調素子は、光束射出側に配置され、液晶に駆動電圧を印加するためのデータ線、走査線、スイッチング素子、画素電極等が形成された駆動基板と、光束入射側に配置され、共通電極、ブラックマスク等が形成された対向基板とで構成される一対の基板と、１対の基板間に密閉封入された液晶等の電気光学材料からなる液晶層と、一対の基板間から延出し、走査線、データ線、スイッチング素子、および共通電極等に所定の駆動信号を出力するフレキシブルプリント基板とで構成される。
また、この光変調素子の光束入射側および光束射出側には所定の偏光軸を有する光束を透過させる入射側偏光板および射出側偏光板がそれぞれ配置される。
ここで、光源から射出された光束が光変調素子に照射された場合には、液晶層による光吸収とともに、駆動基板に形成されたデータ線および走査線や、対向基板に形成されたブラックマトリックス等による光吸収により、光変調素子の温度が上昇しやすい。また、光源から射出された光束、および光変調素子を透過した光束のうち、所定の偏光軸を有していない光束は、入射側偏光板および射出側偏光板によって吸収され、偏光板に熱が発生しやすい。
【０００３】
このため、このような光学素子を内部に有するプロジェクタは、光学素子の温度上昇を緩和するために、冷却流体を用いた冷却装置を備えた構成が提案されている（例えば、特許文献１参照）。
すなわち、特許文献１に記載の冷却装置は、光変調素子と光源側の偏光板とを離隔した状態で支持し、内部に冷却流体を充填する冷却室を備えている。また、この冷却室は、内部に冷却流体を流通可能とするチューブ等によりラジエータおよび流体ポンプと連通接続されている。このため、内部の冷却流体は、チューブ等を介して冷却室〜ラジエータ〜流体ポンプ〜冷却室という流路を循環する。そして、このような構成により、光源から照射される光束により光変調素子および入射側偏光板に生じる熱を冷却流体に放熱させている。
【０００４】
【特許文献１】特開平１−１５９６８４号公報
【発明の開示】
【発明が解決しようとする課題】
【０００５】
特許文献１に記載の冷却装置では、光変調素子を複数で構成する場合、これら複数の光変調素子を冷却するために複数の冷却室が必要となる。このため、複数の冷却室に対応して複数のラジエータおよび流体ポンプ等が必要となり、構成部材が増加することで、プロジェクタが大型化してしまう。
【０００６】
本発明の目的は、冷却流体により光変調素子を冷却し、光変調素子が複数で構成された場合であっても小型化が図れる光学装置、およびプロジェクタを提供することにある。
【課題を解決するための手段】
【０００７】
本発明の光学装置は、光源から射出された光束を画像情報に応じて変調して光学像を形成する複数の光変調素子を含んで構成される光学装置であって、内部に冷却流体が封入される冷却室がそれぞれ形成され、前記冷却室内の冷却流体に対して熱伝達可能に前記複数の光変調素子をそれぞれ保持する複数の光変調素子保持体と、前記複数の光変調素子保持体の各冷却室と連通接続され、前記冷却流体を前記各冷却室外部に案内し、再度、前記各冷却室に導く複数の流体循環部材とを含んで構成され、前記複数の流体循環部材のうち少なくともいずれかの流体循環部材は、前記各冷却室のうち少なくとも２つの冷却室を直列に接続し、前記直列に接続した各冷却室に前記冷却流体を順に流通させることを特徴とする。
ここで、本発明は、複数の流体循環部材のうちの少なくともいずれかの流体循環部材が、複数の光変調素子保持体の各冷却室のうち２つの冷却室を直列に接続する構成、複数の光変調素子保持体の各冷却室のうち３つ以上の冷却室を直列に接続する構成、および、複数の光変調素子保持体の各冷却室の全てを直列に接続する構成を含むものである。
また、本発明において、光変調素子保持体の冷却室は、光変調素子の光束入射側または光束射出側に形成される構成、あるいは、光変調素子の光束入射側および光束射出側の双方に形成される構成のいずれでもよい。
本発明によれば、複数の流体循環部材のうち少なくともいずれかの流体循環部材は、複数の光変調素子保持体の各冷却室のうち少なくとも２つの冷却室を直列に接続するので、例えばラジエータおよび流体ポンプ等の他の部材を、複数の光変調素子保持体の各冷却室に対して共通化できる。このため、ラジエータおよび流体ポンプ等の他の部材を各冷却室に応じて設ける必要がなく、光変調素子が複数で構成された場合であっても、光学装置が搭載されるプロジェクタ等の光学機器の小型化を図れる。
ところで、光学装置が搭載されるプロジェクタ等の光学機器の大型化を回避するために、ラジエータおよび流体ポンプ等の他の部材を各冷却室に対して共通化し、前記他の部材に対して各冷却室を複数の流体循環部材にて並列に接続する構成が考えられる。しかしながら、このような構成では、前記他の部材と各冷却室のそれぞれとを複数の流体循環部材にて接続する必要があり、流体循環部材の引き回し本数が増加するとともに、他の部材における流体循環部材の接続箇所が多くなる。このため、流体循環部材の引き回し作業が煩雑になってしまう。
本発明では、各冷却室のうち少なくとも２つの冷却室が直列に接続しているので、上述した構成に比較して、流体循環部材の引き回し本数を低減できるとともに、他の部材における流体循環部材の接続箇所も低減できる。したがって、流体循環部材の引き回し作業を容易に実施できる。
【０００８】
本発明の光学装置では、前記複数の光変調素子保持体を取り付けるための複数の光束入射側端面を有し、前記複数の光変調素子にて変調された各光束を合成する色合成光学装置と、前記色合成光学装置における前記複数の光束入射側端面に交差する端面のうち少なくともいずれかの端面に取り付けられ、内部の冷却流体を前記各冷却室に送出するとともに、前記各冷却室から流出した冷却流体を一括して送入する冷却流体中継部とを備えていることが好ましい。
ここで、冷却流体中継部としては、色合成光学装置における複数の光束入射側端面に交差する端面のうちいずれか一方の端面にのみ取り付けられる構成を採用できる。また、冷却流体中継部を２体で構成し、色合成光学装置における複数の光束入射側端面に交差する端面の双方の端面にそれぞれ取り付ける構成も採用できる。
本発明によれば、冷却流体中継部が色合成光学装置における複数の光束入射側端面に交差する端面のうち少なくともいずれかの端面に取り付けられるので、例えば、ラジエータおよび流体ポンプ等の他の部材と接続する際でも、冷却流体中継部と前記他の部材とを流体循環部材にて接続すればよく、各冷却室と前記他の部材とを直接流体循環部材にて接続する必要がない。このため、流体循環部材の引き回し作業をさらに容易に実施できる。
【０００９】
本発明の光学装置では、前記冷却流体中継部は、前記色合成光学装置における前記複数の光束入射側端面に交差する端面のうちいずれか一方の端面にのみ取り付けられ、内部の空間を２つの領域に区画する隔壁を有し、前記２つの領域のうちいずれか一方の領域内部の冷却流体を前記各冷却室に送出するとともに、前記各冷却室から流出した冷却流体を他方の領域内部に送入することが好ましい。
本発明によれば、冷却流体中継部は、色合成光学装置における複数の光束入射側端面に交差する端面のうちいずれか一方の端面にのみ取り付けられているので、冷却流体中継部を２体で構成し、色合成光学装置における複数の光束入射側端面に交差する端面の双方にそれぞれ取り付ける構成と比較して、部材を省略して光学装置の小型化を図れる。
また、冷却流体中継部が隔壁を有しているので、各冷却室へと送出する冷却流体、および、各冷却室から送入された冷却流体が混合することがなく、各冷却室への冷却流体の送出、および、各冷却室からの冷却流体の送入を効率的に実施できる。
【００１０】
本発明の光学装置では、前記光変調素子保持体は、前記流体循環部材が接続され前記冷却室に前記冷却流体を流入させる流入口と、前記流体循環部材が接続され前記冷却室内部の前記冷却流体を外部に流出させる流出口とを有し、前記流入口および前記流出口は、前記光変調素子保持体が前記色合成光学装置に取り付けられた状態で、前記光変調素子保持体における前記冷却流体中継部が取り付けられる前記一方の端面側の一側端部にそれぞれ形成されていることが好ましい。
ここで、流入口および流出口の数は、特に限定されず、少なくとも１つずつ有していればよい。
本発明によれば、流入口および流出口が、光変調素子保持体における冷却流体中継部が配置される側の一側端部にそれぞれ形成されているので、光学装置に対する流体循環部材の接続を、冷却流体中継部が配置される側の一方向に集約でき、流体循環部材の引き回し作業をさらに一層容易に実施できる。
【００１１】
本発明の光学装置では、前記光変調素子保持体は、前記光変調素子の画像形成領域に応じてそれぞれ開口が形成され前記光変調素子を挟持する一対の枠状部材と、前記一対の枠状部材における対向する面と反対の面側にそれぞれ配置される透光性基板とを含んで構成され、前記冷却室は、前記一対の枠状部材の前記開口における前記対向する面側、および前記対向する面と反対の面側が前記光変調素子および前記透光性基板にてそれぞれ閉塞されることにより、前記一対の枠状部材のうちいずれか一方の枠状部材の内部に形成される第１冷却室と、他方の枠状部材の内部に形成される第２冷却室とで構成され、前記流入口および前記流出口は、前記光変調素子保持体が前記色合成光学装置に取り付けられた状態で、前記一方の枠状部材における前記冷却流体中継部が取り付けられる前記一方の端面側の一側端部にそれぞれ形成され、前記一対の枠状部材は、前記第１冷却室および前記第２冷却室を連通接続する連通口を有し、前記連通口は、前記一側端部に対向する側端部側に配置され前記第１冷却室内の前記一側端部側から前記一側端部に対向する側端部側に流通した冷却流体を前記第２冷却室内に流入させる第１連通口と、前記一側端部側に配置され前記第２冷却室内の前記一側端部に対向する側端部側から前記一側端部側に流通した冷却流体を前記第１冷却室内に流入させる第２連通口とで構成されていることが好ましい。
【００１２】
本発明によれば、冷却室は、第１冷却室および第２冷却室で構成され、これら第１冷却室および第２冷却室が連通口により連通接続されるので、連通口を介して第１冷却室から第２冷却室へ、または第２冷却室から第１冷却室へと冷却流体を流通させることができる。このため、光変調素子の光束入射側および光束射出側を略同一の温度である冷却流体により冷却でき、光変調素子における光束入射側および光束射出側を効率的に冷却できる。
また、連通口を形成することで、流入口および流出口を第１冷却室および第２冷却室に応じて２つずつ設けなくてもよく、光変調素子保持体に各１つのみの流入口および流出口を設ける構成を採用できる。このことにより、流入口および流出口を第１冷却室および第２冷却室に応じて２つずつ設ける構成と比較して、流入口および流出口と接続する流体循環部材の引き回し本数を低減できるとともに、光変調素子保持体に対する流体循環部材の接続箇所を低減できる。したがって、冷却室を第１冷却室および第２冷却室で構成した場合であっても、流体循環部材の引き回し作業を容易に実施できるとともに、光変調素子保持体周りのスペース効率の向上が図れる。
さらに、連通口が第１連通口および第２連通口で構成されているので、流入口を介して第１冷却室に流入し一側端部側からこの一側端部に対向する側端部側に流通した冷却流体は、第１連通口を介して第２冷却室に流入する。また、第２冷却室に流入し一側端部に対向する側端部側から一側端部側に流通した冷却流体は、第２連通口を介して第１冷却室に流入し、流出口を介して外部に流出される。このことにより、流入口および流出口が一方の枠状部材における一側端部にそれぞれ形成されていても、第１冷却室および第２冷却室の双方に確実に冷却流体を流通させることができる。
【００１３】
本発明の光学装置では、前記一方の枠状部材における前記対向する面と反対の面には、前記開口周縁の前記一側端部側に、照射される光束の光軸方向に向けて窪む凹部が形成され、前記流入口および前記流出口は、前記凹部の側壁に貫通するようにそれぞれ形成され、前記凹部には、前記第２連通口を介して前記第２冷却室内から前記第１冷却室内に流入した冷却流体を前記流出口に流通させる隔壁が形成されていることが好ましい。
本発明では、一方の枠状部材には対向する面と反対の面に凹部が形成され、該凹部には隔壁が形成されている。そして、対向する面と反対の面側に透光性基板が配置されることで、上述した隔壁により、第１冷却室内部が、流入口および第１連通口が連通する領域と、第２連通口および流出口が連通する領域とに区画される。このことにより、第２連通口を介して第２冷却室内から第１冷却室内に流入した冷却流体を流出口に向けて円滑に流通させることができる。したがって、第２冷却室内で光変調素子にて温められた冷却流体が第１冷却室内に流入した際、第１冷却室内に拡がって流通することを回避でき、光変調素子と冷却室内の冷却流体との温度差が小さくなることがなく、冷却流体により光変調素子をさらに効率的に冷却できる。
【００１４】
本発明の光学装置では、前記冷却流体中継部は、前記色合成光学装置における前記複数の光束入射側端面に交差する端面のうちいずれか一方の端面に取り付けられ内部の冷却流体を前記各冷却室に送出する第１中継部と、前記色合成光学装置における前記複数の光束入射側端面に交差する端面のうちいずれか他方の端面に取り付けられ前記各冷却室から流出した冷却流体を一括して送入する第２中継部とで構成されていることが好ましい。
本発明によれば、冷却流体中継部は、第１中継部および第２中継部の２体で構成されているので、冷却流体中継部が１体の構成と比較して、冷却流体中継部における冷却流体を封入可能な容量を大きくすることができ、光学装置における冷却流体の流通を円滑に実施できるとともに、光変調素子と冷却流体との熱交換能力を向上させることができる。
【００１５】
本発明の光学装置では、前記光変調素子保持体は、前記流体循環部材が接続され前記冷却室に前記冷却流体を流入させる流入口と、前記流体循環部材が接続され前記冷却室内部の前記冷却流体を外部に流出させる流出口とを有し、前記流入口および前記流出口は、前記光変調素子保持体が前記色合成光学装置に取り付けられた状態で、前記光変調素子保持体における前記第１中継部が取り付けられる前記一方の端面側の側端部、および前記光変調素子保持体における前記第２中継部が取り付けられる前記他方の端面側の側端部にそれぞれ形成されていることが好ましい。
ここで、流入口および流出口の数は、特に限定されず、少なくとも１つずつ有していればよい。
本発明によれば、流入口および流出口が、光変調素子保持体における第１中継部が配置される側の側端部、および第２中継部が配置される側の側端部にそれぞれ形成されているので、第１中継部および流入口、第２中継部および流出口の流体循環部材の接続作業を容易に実施できる。
また、流入口および流出口が上述した位置に配置されることで、冷却室内における冷却流体の流通方向を一方向に設定でき、冷却室内における冷却流体の流通を円滑に実施でき、冷却流体の対流速度を速めることができる。したがって、光変調素子と冷却室内の冷却流体との温度差を維持し、冷却流体により光変調素子をさらに効率的に冷却できる。
【００１６】
本発明の光学装置では、前記光変調素子保持体は、前記光変調素子の画像形成領域に応じてそれぞれ開口が形成され前記光変調素子を挟持する一対の枠状部材と、前記一対の枠状部材における対向する面と反対の面側にそれぞれ配置される透光性基板とを含んで構成され、前記冷却室は、前記一対の枠状部材の前記開口における前記対向する面側、および前記対向する面と反対の面側が前記光変調素子および前記透光性基板にてそれぞれ閉塞されることにより、前記一対の枠状部材のうちいずれか一方の枠状部材の内部に形成される第１冷却室と、他方の枠状部材の内部に形成される第２冷却室とで構成され、前記一対の枠状部材は、前記第１冷却室および前記第２冷却室を連通接続する連通口を有していることが好ましい。
本発明によれば、冷却室は、第１冷却室および第２冷却室で構成され、これら第１冷却室および第２冷却室が連通口により連通接続されるので、連通口を介して第１冷却室から第２冷却室へ、または第２冷却室から第１冷却室へと冷却流体を流通させることができる。このため、光変調素子の光束入射側および光束射出側を略同一の温度である冷却流体により冷却でき、光変調素子における光束入射側および光束射出側を効率的に冷却できる。
また、連通口を形成することで、流入口および流出口を第１冷却室および第２冷却室に応じて２つずつ設けなくてもよく、光変調素子保持体に各１つのみの流入口および流出口を設ける構成を採用できる。このことにより、流入口および流出口を第１冷却室および第２冷却室に応じて２つずつ設ける構成と比較して、流入口および流出口と接続する流体循環部材の引き回し本数を低減できるとともに、光変調素子保持体に対する流体循環部材の接続箇所を低減できる。したがって、冷却室を第１冷却室および第２冷却室で構成した場合であっても、流体循環部材の引き回し作業を容易に実施できるとともに、光変調素子保持体回りのスペース効率の向上が図れる。
【００１７】
本発明の光学装置では、前記流入口は、前記光変調素子保持体が前記色合成光学装置に取り付けられた状態で前記一方の枠状部材における前記第１中継部が取り付けられる前記一方の端面側の側端部に形成され、前記流出口は、前記光変調素子保持体が前記色合成光学装置に取り付けられた状態で前記他方の枠状部材における前記第２中継部が取り付けられる前記他方の端面側の側端部に形成され、前記連通口は、前記流入口を介して内部に流入した冷却流体を前記第１冷却室および前記第２冷却室に分流する分流口と、前記第１冷却室内を流通する冷却流体を前記第２冷却室内に流入させる合流口とで構成され、前記分流口および前記合流口は、前記流入口から前記分流口を介して前記流出口に向かう前記冷却流体の流路の長さと、前記流入口から前記合流口を介して前記流出口に向かう前記冷却流体の流路の長さとが略同一となる位置にそれぞれ形成されていることが好ましい。
本発明によれば、連通口が分流口および合流口で構成されているので、流入口から内部に流入した冷却流体を分流口により第１冷却室および第２冷却室に分流することができ、また、合流口により第１冷却室内を流通する冷却流体を第２冷却室内を流通する冷却流体に合流させて流出口を介して外部に送出させることができる。このため、光変調素子の光束入射側および光束射出側に確実に冷却流体を流通させることができ、光変調素子における光束入射側および光束射出側をさらに効率的に冷却できる。
また、流入口から分流口を介して流出口に向かう冷却流体の流路の長さと、流入口から合流口を介して流出口に向かう冷却流体の流路の長さとが略同一となる位置に分流口および合流口がそれぞれ形成されている。このことにより、光変調素子の光束入射側および光束射出側の各冷却室を流通する冷却流体の各流路の長さを略同一に設定でき、光束入射側および光束射出側のいずれかの冷却室内部に冷却流体が滞留することを回避でき、光変調素子における光束入射側および光束射出側をさらに一層効率的に冷却できる。
【００１８】
本発明の光学装置では、前記複数の流体循環部材のうち少なくともいずれかの流体循環部材は、前記色合成光学装置における複数の光束入射側端面のうち隣接する少なくとも２つの光束入射側端面に取り付けられる少なくとも２つの光変調素子保持体の各冷却室を直列に接続し、前記直列に接続した各冷却室に前記冷却流体を順に流通させることが好ましい。
本発明によれば、複数の流体循環部材のうち少なくともいずれかの流体循環部材は、隣接する少なくとも２つの光変調素子保持体の各冷却室を直列に接続するので、隣接することなく離間した少なくとも２つの光変調素子保持体の各冷却室を直列に接続する構成と比較して、流体循環部材の長さ寸法を短くでき、流体循環部材の引き回し作業を容易に実施できる。
【００１９】
本発明のプロジェクタは、光源装置と、上述した光学装置と、前記光学装置にて形成された光学像を拡大投射する投射光学装置とを備えていることを特徴とする。
本発明によれば、プロジェクタは、光源装置と、上述した光学装置と、投射光学装置とを備えているので、上述した光学装置と同様の作用・効果を享受できる。
【発明を実施するための最良の形態】
【００２０】
[第１実施形態]
以下、本発明の第１実施形態を図面に基づいて説明する。
〔プロジェクタの構成〕
図１は、プロジェクタ１の概略構成を模式的に示す図である。
プロジェクタ１は、光源から射出される光束を画像情報に応じて変調して光学像を形成し、形成した光学像をスクリーン上に拡大投射するものである。このプロジェクタ１は、外装ケース２と、冷却ユニット３と、光学ユニット４と、投射光学装置としての投射レンズ５とを備える。
なお、図１において、図示は省略するが、外装ケース２内において、冷却ユニット３、光学ユニット４、および投射レンズ５以外の空間には、電源ブロック、ランプ駆動回路等が配置されるものとする。
【００２１】
外装ケース２は、合成樹脂等から構成され、冷却ユニット３、光学ユニット４、および投射レンズ５を内部に収納配置する全体略直方体状に形成されている。この外装ケース２は、図示は省略するが、プロジェクタ１の天面、前面、背面、および側面をそれぞれ構成するアッパーケースと、プロジェクタ１の底面、前面、側面、および背面をそれぞれ構成するロアーケースとで構成され、前記アッパーケースおよび前記ロアーケースは互いにねじ等で固定されている。
なお、外装ケース２は、合成樹脂製に限らず、その他の材料にて形成してもよく、例えば、金属等により構成してもよい。
また、図示は省略するが、この外装ケース２には、冷却ユニット３によりプロジェクタ１外部から冷却空気を内部に導入するための吸気口（例えば、図２に示す吸気口２２）、およびプロジェクタ１内部で温められた空気を排出するための排気口が形成されている。
さらに、この外装ケース２には、図１に示すように、投射レンズ５の側方で外装ケース２の角部分に位置し、光学ユニット４の後述する光学装置のラジエータを他の部材と隔離する隔壁２１が形成されている。
【００２２】
冷却ユニット３は、プロジェクタ１内部に形成される冷却流路に冷却空気を送り込み、プロジェクタ１内で発生する熱を冷却する。この冷却ユニット３は、投射レンズ５の側方に位置し、外装ケース２に形成された図示しない吸気口からプロジェクタ１外部の冷却空気を内部に導入して光学ユニット４の後述する光学装置の液晶パネルに冷却空気を吹き付けるシロッコファン３１と、外装ケース２に形成された隔壁２１内部に位置し、外装ケース２に形成された吸気口２２（図２参照）からプロジェクタ１外部の冷却空気を内部に導入して光学ユニット４の後述するラジエータに冷却空気を吹き付ける軸流ファン３２とを備える。
なお、この冷却ユニット３は、図示は省略するが、シロッコファン３１および軸流ファン３２の他、光学ユニット４の後述する光源装置、および図示しない電源ブロック、ランプ駆動回路等を冷却するための冷却ファンも有しているものとする。
【００２３】
光学ユニット４は、光源から射出された光束を、光学的に処理して画像情報に対応して光学像（カラー画像）を形成するユニットである。この光学ユニット４は、図１に示すように、外装ケース２の背面に沿って延出するとともに、外装ケース２の側面に沿って延出する平面視略Ｌ字形状を有している。なお、この光学ユニット４の詳細な構成については、後述する。
投射レンズ５は、複数のレンズが組み合わされた組レンズとして構成される。そして、この投射レンズ５は、光学ユニット４にて形成された光学像（カラー画像）を図示しないスクリーン上に拡大投射する。
【００２４】
〔光学ユニットの詳細な構成〕
光学ユニット４は、図１に示すように、インテグレータ照明光学系４１、色分離光学系４２、リレー光学系４３、光学装置４４、および、これら光学部品４１〜４４を収納配置する光学部品用筐体４５とを備える。
インテグレータ照明光学系４１は、光学装置４４を構成する後述する液晶パネルの画像形成領域を略均一に照明するための光学系である。このインテグレータ照明光学系４１は、図１に示すように、光源装置４１１と、第１レンズアレイ４１２と、第２レンズアレイ４１３と、偏光変換素子４１４と、重畳レンズ４１５とを備える。
【００２５】
光源装置４１１は、放射状の光線を射出する光源ランプ４１６と、この光源ランプ４１６から射出された放射光を反射するリフレクタ４１７とを備える。光源ランプ４１６としては、ハロゲンランプやメタルハライドランプ、高圧水銀ランプが多用される。また、リフレクタ４１７としては、図１では、放物面鏡を採用しているが、これに限らず、楕円面鏡で構成し、光束射出側に該楕円面鏡により反射された光束を平行光とする平行化凹レンズを採用した構成としてもよい。
第１レンズアレイ４１２は、光軸方向から見て略矩形状の輪郭を有する小レンズがマトリクス状に配列された構成を有している。各小レンズは、光源装置４１１から射出される光束を、複数の部分光束に分割している。
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を光学装置４４の後述する液晶パネル上に結像させる機能を有している。
【００２６】
偏光変換素子４１４は、第２レンズアレイ４１３と重畳レンズ４１５との間に配置され、第２レンズアレイ４１３からの光を略１種類の偏光光に変換するものである。
具体的に、偏光変換素子４１４によって略１種類の偏光光に変換された各部分光は、重畳レンズ４１５によって最終的に光学装置４４の後述する液晶パネル上にほぼ重畳される。偏光光を変調するタイプの液晶パネルを用いたプロジェクタでは、１種類の偏光光しか利用できないため、ランダムな偏光光を発する光源装置４１１からの光の略半分を利用できない。このため、偏光変換素子４１４を用いることで、光源装置４１１からの射出光を略１種類の偏光光に変換し、光学装置４４での光の利用効率を高めている。
【００２７】
色分離光学系４２は、図１に示すように、２枚のダイクロイックミラー４２１，４２２と、反射ミラー４２３とを備え、ダイクロイックミラー４２１，４２２によりインテグレータ照明光学系４１から射出された複数の部分光束を、赤、緑、青の３色の色光に分離する機能を有している。
リレー光学系４３は、図１に示すように、入射側レンズ４３１、リレーレンズ４３３、および反射ミラー４３２，４３４を備え、色分離光学系４２で分離された赤色光を光学装置４４の後述する赤色光用の液晶パネルまで導く機能を有している。
【００２８】
この際、色分離光学系４２のダイクロイックミラー４２１では、インテグレータ照明光学系４１から射出された光束の青色光成分が反射するとともに、赤色光成分と緑色光成分とが透過する。ダイクロイックミラー４２１によって反射した青色光は、反射ミラー４２３で反射し、フィールドレンズ４１８を通って光学装置４４の後述する青色光用の液晶パネルに達する。このフィールドレンズ４１８は、第２レンズアレイ４１３から射出された各部分光側をその中心軸（主光線）に対して平行な光束に変換する。他の緑色光用、赤色光用の液晶パネルの光入射側に設けられたフィールドレンズ４１８も同様である。
【００２９】
ダイクロイックミラー４２１を透過した赤色光と緑色光のうちで、緑色光はダイクロイックミラー４２２によって反射し、フィールドレンズ４１８を通って光学装置４４の後述する緑色光用の液晶パネルに達する。一方、赤色光はダイクロイックミラー４２２を透過してリレー光学系４３を通り、さらにフィールドレンズ４１８を通って光学装置４４の後述する赤色光用の液晶パネルに達する。なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１８に伝えるためである。本実施形態においては赤色光の光路長が長いのでこのような構成とされているが青色光の光路長を長くする構成も考えられる。
【００３０】
光学装置４４は、図１に示すように、光変調素子としての３枚の液晶パネル４４１（赤色光用の液晶パネルを４４１Ｒ、緑色光用の液晶パネルを４４１Ｇ、青色光用の液晶パネルを４４１Ｂとする）と、この液晶パネル４４１の光束入射側および光束射出側に配置される入射側偏光板４４２および射出側偏光板４４３と、色合成光学装置としてのクロスダイクロイックプリズム４４４とが一体的に形成されたものである。
なお、光学装置４４は、具体的な構成は後述するが、液晶パネル４４１、入射側偏光板４４２、射出側偏光板４４３、およびクロスダイクロイックプリズム４４４以外に、メインタンク、流体圧送部、ラジエータ、流体循環部材、中継タンク、および光変調素子保持体を備える。
【００３１】
液晶パネル４４１は、ガラスなどからなる一対の基板４４１Ｃ，４４１Ｄ（図７参照）に電気光学物質である液晶が密閉封入された構成を有している。このうち、基板４４１Ｃ（図７参照）は、液晶を駆動するための駆動基板であり、互いに平行に配列形成される複数のデータ線と、複数のデータ線と直交する方向に配列形成される複数の走査線と、走査線およびデータ線の交差に対応してマトリクス状に配列形成される画素電極と、ＴＦＴ等のスイッチング素子とを有している。また、基板４４１Ｄ（図７参照）は、基板４４１Ｃに対して所定間隔を空けて対向配置される対向基板であり、所定の電圧Ｖcomが印加される共通電極を有している。そして、これら基板４４１Ｃ，４４１Ｄには、図示しない制御装置と電気的に接続し、前記走査線、前記データ線、前記スイッチング素子、および前記共通電極等に所定の駆動信号を出力するフレキシブルプリント基板４４１Ｅ（図７参照）が接続されている。このフレキシブルプリント基板４４１Ｅ（図７参照）を介して前記制御装置から駆動信号を入力することで、所定の前記画素電極と前記共通電極との間に電圧が印加され、該画素電極および共通電極間に介在する液晶の配向状態が制御され、入射側偏光板４４２から射出された偏光光束の偏光方向が変調される。
【００３２】
入射側偏光板４４２は、偏光変換素子４１４で偏光方向が略一方向に揃えられた各色光が入射され、入射された光束のうち、偏光変換素子４１４で揃えられた光束の偏光軸と略同一方向の偏光光のみ透過させ、その他の光束を吸収するものである。この入射側偏光板４４２は、サファイアガラスまたは水晶等の透光性基板４４２Ａ（図７参照）上に偏光膜（図示省略）が貼付された構成を有している。
射出側偏光板４４３は、入射側偏光板４４２と同様に透光性基板４４３Ａおよび光学変換膜としての偏光膜４４３Ｂ（図７参照）を有し、液晶パネル４４１から射出された光束のうち、入射側偏光板４４２における光束の透過軸と直交する偏光軸を有する光束のみ透過させ、その他の光束を吸収するものである。
【００３３】
クロスダイクロイックプリズム４４４は、射出側偏光板４４３から射出された色光毎に変調された光学像を合成してカラー画像を形成する光学素子である。このクロスダイクロイックプリズム４４４は、４つの直角プリズムを貼り合わせた平面視略正方形状をなし、直角プリズム同士を貼り合わせた界面には、２つの誘電体多層膜が形成されている。これら誘電体多層膜は、液晶パネル４４１Ｒ，４４１Ｂから射出され射出側偏光板４４３を介した色光を反射し、液晶パネル４４１Ｇから射出され射出側偏光板４４３を介した色光を透過する。このようにして、各液晶パネル４４１Ｒ，４４１Ｇ，４４１Ｂにて変調された各色光が合成されてカラー画像が形成される。
【００３４】
図２は、プロジェクタ１内の一部を上方側から見た斜視図である。なお、図２において、光学部品用筐体４５内の光学部品は、説明を簡略化するために、光学装置４４の後述する光学装置本体のみを図示し、その他の光学部品４１〜４３は省略している。
光学部品用筐体４５は、例えば、金属製部材から構成され、図１に示すように、内部に所定の照明光軸Ａが設定され、上述した光学部品４１〜４３、および光学装置４４の後述する光学装置本体を照明光軸Ａに対する所定位置に収納配置する。なお、光学部品用筐体４５は、金属製部材に限らず、その他の材料にて構成してもよく、特に熱伝導性材料で構成することが好ましい。この光学部品用筐体４５は、図２に示すように、光学部品４１〜４３、および光学装置４４の後述する光学装置本体を収納する容器状の部品収納部材４５１と、部品収納部材４５１の開口部分を閉塞する図示しない蓋状部材とで構成される。
【００３５】
このうち、部品収納部材４５１は、光学部品用筐体４５の底面、前面、および側面をそれぞれ構成する。
この部品収納部材４５１において、側面の内側面には、図２に示すように、上述した光学部品４１２〜４１５，４１８，４２１〜４２３，４３１〜４３４を上方からスライド式に嵌め込むための溝部４５１Ａが形成されている。
また、側面の正面部分には、図２に示すように、投射レンズ５を光学ユニット４に対して所定位置に設置するための投射レンズ設置部４５１Ｂが形成されている。この投射レンズ設置部４５１Ｂは、平面視略矩形状に形成され、平面視略中央部分には光学装置４４からの光束射出位置に対応して円形状の図示しない孔が形成されており、光学ユニット４にて形成されたカラー画像が前記孔を通して投射レンズ５にて拡大投射される。
また、この部品収納部材４５１において、底面には、具体的な図示は省略するが、光学装置４４の液晶パネル４４１位置に対応して３つの孔が形成されている。ここで、冷却ユニット３のシロッコファン３１によりプロジェクタ１外部から内部に導入された冷却空気は、シロッコファン３１の吐出口から吐出され、ダクトを介して前記孔に導かれる。
【００３６】
〔光学装置の構成〕
光学装置４４は、図２に示すように、液晶パネル４４１、入射側偏光板４４２、射出側偏光板４４３、およびクロスダイクロイックプリズム４４４が一体化された光学装置本体４４０と、メインタンク４４５と、流体圧送部４４６と、ラジエータ４４７と、複数の流体循環部材４４８とを備える。
複数の流体循環部材４４８は、内部に冷却流体が対流可能にアルミニウム製の管状部材で構成され、冷却流体が循環可能に各部材４４０，４４５〜４４７を接続する。そして、循環する冷却流体により光学装置本体４４０を構成する液晶パネル４４１、入射側偏光板４４２、および射出側偏光板４４３に生じる熱を冷却する。
なお、本実施形態では、冷却流体として、透明性の非揮発性液体であるエチレングリコールを採用する。冷却流体としては、エチレングリコールに限らず、その他の液体を採用してもよい。
以下では、各部材４４０，４４５〜４４７を、循環する冷却流体の流路に沿って液晶パネル４４１に対する上流側から順に説明する。
【００３７】
〔メインタンクの構造〕
図３は、メインタンク４４５の構造を示す図である。具体的に、図３（Ａ）は、メインタンク４４５を上方から見た平面図である。また、図３（Ｂ）は、図３（Ａ）におけるＡ-Ａ線の断面図である。
メインタンク４４５は、略円柱形状を有し、アルミニウム製の２つの容器状部材から構成され、２つの容器状部材の開口部分を互いに接続することで内部に冷却流体を一時的に蓄積する。これら容器状部材は、例えば、シール溶接またはゴム等の弾性部材を介在させることで接続される。
【００３８】
このメインタンク４４５において、円柱軸方向略中央部分には、図３（Ｂ）に示すように、冷却流体を内部に流入させる冷却流体流入部４４５Ａおよび内部の冷却流体を外部に流出させる冷却流体流出部４４５Ｂが形成されている。
これら冷却流体流入部４４５Ａおよび冷却流体流出部４４５Ｂは、流体循環部材４４８の管径寸法よりも小さい管径寸法を有する略筒状部材から構成され、メインタンク４４５の内外に突出するように配置されている。そして、冷却流体流入部４４５Ａの外側に突出した一端には、流体循環部材４４８の一端が接続され、該流体循環部材４４８を介して外部からの冷却流体がメインタンク４４５内部に流入する。また、冷却流体流出部４４５Ｂの外側に突出した一端にも、流体循環部材４４８の一端が接続され、該流体循環部材４４８を介してメインタンク４４５内部の冷却流体が外部へと流出する。
また、冷却流体流入部４４５Ａおよび冷却流体流出部４４５Ｂの内側に突出した他端は、図３（Ａ）に示すように、メインタンク４４５の円柱軸に向けて延出し、平面的に視て略直交するようにそれぞれ配置されている。このように、冷却流体流入部４４５Ａおよび冷却流体流出部４４５Ｂを平面的に視て略直交するようにそれぞれ配置することで、冷却流体流入部４４５Ａを介してメインタンク４４５内部に流入した冷却流体が、冷却流体流出部４４５Ｂを介して直ぐに外部に流出することを回避でき、流入した冷却流体をメインタンク４４５内部の冷却流体と混合させ、冷却流体の温度の均一化を図っている。
【００３９】
また、このメインタンク４４５の外周面において、円柱軸方向略中央部分には、図３（Ａ）に示すように、２つの容器状部材のそれぞれに３つの固定部４４５Ｃが形成され、該固定部４４５Ｃにねじ４４５Ｄ（図２）を挿通し、外装ケース２の底面に螺合することで、２つの容器状部材が互いに密接して接続されるとともに、メインタンク４４５が外装ケース２に固定される。
そして、このメインタンク４４５は、図１または図２に示すように、光学部品用筐体４５と外装ケース２の内側面とで形成される平面視三角形状の領域に配置される。この領域にメインタンク４４５を配置することで、外装ケース２内の収納効率の向上が図れ、プロジェクタ１が大型化することがない。
【００４０】
〔流体圧送部の構造〕
流体圧送部４４６は、メインタンク４４５内に蓄積された冷却流体を送入し、送入した冷却流体を外部に強制的に送出する。このため、流体圧送部４４６は、具体的な図示は省略するが、メインタンク４４５の冷却流体流出部４４５Ｂに接続した流体循環部材４４８の他端と連通接続するとともに、外部に冷却流体を送出するために他の流体循環部材４４８の一端と連通接続している。
この流体圧送部４４６は、具体的な図示は省略するが、例えば、略直方体状のアルミニウム製の中空部材内に羽根車が配置された構成を有し、図示しない制御装置による制御の下、前記羽根車が回転することで、メインタンク４４５内に蓄積された冷却流体を流体循環部材４４８を介して強制的に送入し、送入した冷却流体を流体循環部材４４８を介して外部に強制的に送出する。このような構成では、流体圧送部４４６は、前記羽根車の回転軸方向の厚み寸法を小さくすることができ、プロジェクタ１内部の空きスペースに配置することが可能となり、プロジェクタ１内部の収納効率の向上を図れ、プロジェクタ１が大型化することがない。本実施形態では、流体圧送部４４６は、図２に示すように、投射レンズ５の下方に配置される。
【００４１】
〔光学装置本体の構造〕
図４および図５は、光学装置本体４４０の概略構成を示す図である。具体的に、図４は、光学装置本体４４０を上方側から見た斜視図である。また、図５は、光学装置本体４４０を下方側から見た斜視図である。
光学装置本体４４０は、３つの液晶パネル４４１、３つの入射側偏光板４４２、３つの射出側偏光板４４３、およびクロスダイクロイックプリズム４４４の他、図４および図５に示すように、プリズム固定板４４０１と、冷却流体中継部としての中継タンク４４０４と、３つの光変調素子保持体４４０２（Ｒ色光側の光変調素子保持体を４４０２Ｒ、Ｇ色光側の光変調素子保持体を４４０２Ｇ、Ｂ色光側の光変調素子保持体を４４０２Ｂとする）と、３つの支持部材４４０３とを備える。
プリズム固定板４４０１は、アルミニウムから構成され略直方体形状を有し、クロスダイクロイックプリズム４４４を支持するものである。
このプリズム固定板４４０１において、底面の四隅部分には、図４または図５に示すように、該底面に沿って延出する腕部４４０１Ａがそれぞれ形成されている。これら腕部４４０１Ａの先端部分には、それぞれ孔４４０１Ａ１が形成され、これら孔４４０１Ａ１に図示しないねじを挿通し、光学部品用筐体４５の部品収納部材４５１に螺合することで、光学装置本体４４０が部品収納部材４５１に固定される。
また、このプリズム固定板４４０１において、上面の略中央部分には、具体的な図示は省略するが、球状の膨出部が形成されている。そして、この膨出部にクロスダイクロイックプリズム４４４の下面を当接させることで、プリズム固定板４４０１に対するクロスダイクロイックプリズム４４４のあおり方向の位置調整が可能となる。
【００４２】
〔中継タンクの構造〕
図６は、中継タンク４４０４の構造を示す図である。具体的に、図６（Ａ）は、中継タンク４４０４を上方から見た平面図である。図６（Ｂ）は、図６（Ａ）におけるＢ−Ｂ線の断面図である。
中継タンク４４０４は、略円柱状のアルミニウム製の中空部材で構成され、クロスダイクロイックプリズム４４４の３つの光束入射側端面に交差する端面である上面に固定される。そして、この中継タンク４４０４は、送入した冷却流体をＢ色光側の光変調素子保持体４４０２Ｂへと送出するとともに、Ｒ色光側の光変調素子保持体４４０２Ｒから送出された冷却流体を送入し、送入した冷却流体を外部に送出する。
この中継タンク４４０４において、その内部には、図６に示すように、断面円形状の直径方向に沿って板状の隔壁４４０４Ｃが形成されている。そして、この隔壁４４０４Ｃにより、中継タンク４４０４の内部空間が図６（Ａ）または図６（Ｂ）中、左右方向で領域Ａｒ１，Ａｒ２に区画されている。
【００４３】
また、この中継タンク４４０４において、その上面には、図６に示すように、隔壁４４０４Ｃを中心として略対称配置された第１冷却流体流出部４４０４Ｂ１および第１冷却流体流入部４４０４Ａ１が形成されている。
第１冷却流体流出部４４０４Ｂ１は、流体循環部材４４８の管径寸法よりも小さい管径寸法を有する略筒状部材から構成され、領域Ａｒ１内外に突出するように配置されている。そして、第１冷却流体流出部４４０４Ｂ１の外側に突出した端部には、図４に示すように、流体循環部材４４８Ａの一端が接続され、該流体循環部材４４８Ａを介して領域Ａｒ１内部の冷却流体が外部へと流出する。
第１冷却流体流入部４４０４Ａ１は、第１冷却流体流出部４４０４Ｂ１と略同様の形状を有し、領域Ａｒ２内外に突出するように配置されている。そして、第１冷却流体流入部４４０４Ａ１の外側に突出した端部には、図４に示すように、流体循環部材４４８Ｄの一端が接続され、該流体循環部材４４８Ｄを介して外部の冷却流体が領域Ａｒ２内部に流入する。
【００４４】
また、この中継タンク４４０４において、外側面の下方側には、図６に示すように、隔壁４４０４Ｃを中心として略対称配置された第２冷却流体流入部４４０４Ａ２および第２冷却流体流出部４４０４Ｂ２が形成されている。
第２冷却流体流入部４４０４Ａ２は、第１冷却流体流出部４４０４Ｂ１と略同様の形状を有し、領域Ａｒ１内外に突出するように配置されている。そして、第２冷却流体流入部４４０４Ａ２の外側に突出した端部には、流体圧送部４４６と連通接続された流体循環部材４４８の他端が接続され、該流体循環部材４４８を介して流体圧送部４４６から圧送された冷却流体が領域Ａｒ１内に流入する。
第２冷却流体流出部４４０４Ｂ２は、第１冷却流体流出部４４０４Ｂ１と略同様の形状を有し、領域Ａｒ２内外に突出するように配置されている。そして、第２冷却流体流出部４４０４Ｂ２の外側に突出した端部には、他の流体循環部材４４８が接続され、該流体循環部材４４８を介して領域Ａｒ２内の冷却流体が外部へと送出される。
【００４５】
〔光変調素子保持体の構造〕
図７は、光変調素子保持体４４０２の概略構成を示す分解斜視図である。
３つの光変調素子保持体４４０２Ｒ，４４０２Ｇ，４４０２Ｂは、３つの液晶パネル４４１、３つの入射側偏光板４４２、および３つの射出側偏光板４４３をそれぞれ保持するとともに、内部に冷却流体が流入および流出し、該冷却流体により３つの液晶パネル４４１、３つの入射側偏光板４４２、および３つの射出側偏光板４４３をそれぞれ冷却する。なお、各光変調素子保持体４４０２Ｒ，４４０２Ｇ，４４０２Ｂは、同様の構成であり、以下では１つの光変調素子保持体４４０２のみを説明する。
光変調素子保持体４４０２は、図７に示すように、一対の枠状部材４４０５，４４０６と、４つの弾性部材４４０７と、一対の偏光板固定部材４４０８Ａ，４４０８Ｂと、中間枠体４４０９とを備える。
【００４６】
図８は、枠状部材４４０５の概略構成を示す図である。具体的に、図８（Ａ）は、枠状部材４４０５を光束射出側から見た斜視図である。また、図８（Ｂ）は、枠状部材４４０５を光束入射側から見た斜視図である。
枠状部材４４０５は、略中央部分に液晶パネル４４１の画像形成領域に対応した矩形状の開口部４４０５Ａを有する平面視略矩形状のアルミニウム製の枠体であり、枠状部材４４０６に対して光束入射側に配置され、液晶パネル４４１の光束入射側を支持するとともに、入射側偏光板４４２の光束射出側を支持する。
【００４７】
この枠状部材４４０５において、光束射出側端面には、図８（Ａ）に示すように、弾性部材４４０７の後述する第２弾性部材の形状に対応した形状を有する凹部４４０５Ｂが形成され、この凹部４４０５Ｂにて前記第２弾性部材および中間枠体４４０９を介して液晶パネル４４１の光束入射側端面を支持する。そして、枠状部材４４０５が液晶パネル４４１の光束入射側端面を支持することで、前記第２弾性部材、中間枠体４４０９、および液晶パネル４４１の光束入射側端面にて、開口部４４０５Ａの光束射出側が閉塞される。
この凹部４４０５Ｂにおいて、下方側左右方向略中央部分には、図８に示すように、光束入射側端面および光束射出側端面を貫通し、枠状部材４４０６の後述する筒状部を挿通可能とする挿通孔４４０５Ｃが形成されている。
また、凹部４４０５Ｂの上方側において、光束射出側から見て左側には、図８に示すように、挿通孔４４０５Ｃと同様に光束入射側端面および光束射出側端面を貫通し、枠状部材４４０６の後述する筒状部を挿通可能とする挿通孔４４０５Ｄが形成されている。
【００４８】
また、この枠状部材４４０５において、光束入射側端面には、図８（Ｂ）に示すように、弾性部材４４０７の後述する第１弾性部材の形状に対応して矩形枠状の凹部４４０５Ｅが形成され、この凹部４４０５Ｅにて前記第１弾性部材を介して入射側偏光板４４２を支持する。そして、枠状部材４４０５が入射側偏光板４４２の光束射出側端面を支持することで、前記第１弾性部材、および入射側偏光板４４２の光束射出側端面にて、開口部４４０５Ａにおける光束入射側が閉塞される。
また、開口部４４０５Ａは、図８（Ｂ）に示すように、光束射出側端面から光束入射側端面に向けて開口面積が大きくなるように、光束入射側の角部分が面取りされ、斜面４４０５Ａ１を有している。
さらに、開口部４４０５Ａの上下側端部周縁には、図８（Ｂ）に示すように、凹部４４０５Ｅよりも深さ寸法の大きい凹部４４０５Ｆが２つの挿通孔４４０５Ｃ，４４０５Ｄと接続するようにそれぞれ形成されている。
これら凹部４４０５Ｆのうち、上方側に位置する凹部４４０５Ｆの上方側の側壁は、図８（Ｂ）に示すように、挿通孔４４０５Ｄから離間するにしたがって、開口部４４０５Ａに近接するように曲面状に形成されている。
また、下方側に位置する凹部４４０５Ｆの下方側の側壁は、図８（Ｂ）に示すように、左右方向略中央部分が下方に窪み凹となるように曲面状に形成されている。
以上のように、液晶パネル４４１および入射側偏光板４４２により開口部４４０５Ａの光束入射側および光束射出側が閉塞されると、枠状部材４４０５内部（開口部４４０５Ａ内、および、凹部４４０５Ｆと入射側偏光板４４２との空隙）に冷却流体を封入可能とする第２冷却室としての冷却室Ｒ１（図１３または図１４参照）が形成される。
【００４９】
さらに、この枠状部材４４０５において、左側端部角隅部分および右側端部角隅部分には、図８に示すように、枠状部材４４０６と接続するための接続部４４０５Ｇが形成されている。
さらにまた、この枠状部材４４０５において、左側端部略中央部分および右側端部略中央部分には、図８に示すように、偏光板固定部材４４０８Ａが係合するフック４４０５Ｈが形成されている。
【００５０】
図９は、枠状部材４４０６の概略構成を示す図である。具体的に、図９（Ａ）は、枠状部材４４０６を光束射出側から見た斜視図である。また、図９（Ｂ）は、枠状部材４４０６を光束入射側から見た斜視図である。
枠状部材４４０６は、上述した枠状部材４４０５と略同様に、略中央部分に液晶パネル４４１の画像形成領域に対応した矩形状の開口部４４０６Ａを有する平面視略矩形状のアルミニウム製の枠体である。そして、この枠状部材４４０６は、上述した枠状部材４４０５との間に、弾性部材４４０７および中間枠体４４０９を介して液晶パネル４４１を挟持するとともに、枠状部材４４０５と対向する面と反対の面側にて弾性部材４４０７を介して射出側偏光板４４３を支持する。
また、開口部４４０６Ａは、図９（Ａ）に示すように、枠状部材４４０５における開口部４４０５Ａと略同様に、光束入射側端面から光束射出側端面に向けて開口面積が大きくなるように、光束射出側の角部分が面取りされ、斜面４４０６Ａ１を有している。
【００５１】
この枠状部材４４０６において、光束射出側端面には、図９（Ａ）に示すように、弾性部材４４０７の後述する第４弾性部材の形状に対応して矩形枠状の凹部４４０６Ｂが形成され、この凹部４４０６Ｂにて前記第４弾性部材を介して射出側偏光板４４３を支持する。そして、枠状部材４４０６が射出側偏光板４４３の光束入射側端面を支持することで、前記第４弾性部材、および射出側偏光板４４３の光束入射側端面にて、開口部４４０６Ａにおける光束射出側が閉塞される。
この凹部４４０６Ｂにおいて、下方側の左右方向略中央部分、および上方側の光束射出側から見て左側には、図９に示すように、上述した枠状部材４４０５における挿通孔４４０５Ｃ，４４０５Ｄに対応して、光束射出側端面および光束入射側端面を貫通する孔４４０６Ｃ１，４４０６Ｄ１を有し、光束入射側端面から略直交して突出する筒状部４４０６Ｃ，４４０６Ｄが形成されている。
そして、枠状部材４４０５と枠状部材４４０６とを組み合わせた状態では、枠状部材４４０６における２つの筒状部４４０６Ｃ，４４０６Ｄが枠状部材４４０５における２つの挿通孔４４０５Ｃ，４４０５Ｄにそれぞれ挿通され、枠状部材４４０６の光束射出側および枠状部材４４０５の光束入射側を筒状部４４０６Ｃ，４４０６Ｄの孔４４０６Ｃ１，４４０６Ｄ１、および２つの挿通孔４４０５Ｃ，４４０５Ｄを介して冷却流体が流通可能となる。
なお、筒状部４４０６Ｃ，４４０６Ｄおよび挿通孔４４０５Ｃ，４４０５Ｄが本発明に係る連通口に相当する。また、筒状部４４０６Ｃおよび挿通孔４４０５Ｃが本発明に係る第１連通口に相当し、筒状部４４０６Ｄおよび挿通孔４４０５Ｄが本発明に係る第２連通口に相当する。
【００５２】
ここで、筒状部４４０６Ｃ，４４０６Ｄの内径は、例えば、１mm〜５mmが好ましく、２mm〜３mmがさらに好ましい。筒状部４４０６Ｃの内径断面積と、筒状部４４０６Ｄの内径断面積とは、略同一断面積で構成することが好ましい。また、挿通孔４４０５Ｃ，４４０５Ｄの内径は、それぞれ筒状部４４０６Ｃ，４４０６Ｄを嵌合可能な寸法とすればよい。このような構成とすることで、筒状部４４０６Ｃおよび挿通孔４４０５Ｃ、筒状部４４０６Ｄおよび挿通孔４４０５Ｄを介して流通する冷却流体の流路抵抗を略同一のものとすることができ、冷却流体の流通を円滑に実施できる。
なお、筒状部４４０６Ｃの内径断面積と、筒状部４４０６Ｄの内径断面積とを略同一断面積とする構成に限らず、異なる内径断面積とする構成を採用してもよい。
【００５３】
さらにまた、この枠状部材４４０６において、光束射出側端面には、開口部４４０６Ａの上下側端部周縁に、凹部４４０６Ｂよりも深さ寸法の大きい凹部４４０６Ｅが、筒状部４４０６Ｃ，４４０６Ｄの孔４４０６Ｃ１，４４０６Ｄ１と接続するようにそれぞれ形成されている。
【００５４】
また、この枠状部材４４０６において、光束入射側端面には、図９（Ｂ）に示すように、弾性部材４４０７の後述する第３弾性部材の形状に対応して矩形枠状の凹部４４０６Ｇが形成され、この凹部４４０６Ｇにて前記第３弾性部材を介して液晶パネル４４１の光束射出側端面を支持する。そして、枠状部材４４０６が液晶パネル４４１の光束射出側端面を支持することで、前記第３弾性部材、および液晶パネル４４１の光束射出側端面にて、開口部４４０６Ａにおける光束入射側が閉塞される。
【００５５】
さらに、この枠状部材４４０６において、その上方側端部には、図９に示すように、光束射出側から見て左右方向略中央部分より右側にずれた位置に、上方側に位置する凹部４４０６Ｅの上方側の側壁に貫通し、冷却流体を外部から内部に流入させる流入口４４０６Ｈが形成されている。この流入口４４０６Ｈは、流体循環部材４４８の管径寸法よりも小さい管径寸法を有する略筒状部材から構成され、枠状部材４４０６の外側に突出するように形成されている。
ここで、Ｂ色光側の光変調素子保持体４４０２Ｂにおける流入口４４０６Ｈの外側に突出した端部には、図４に示すように、中継タンク４４０４の第１冷却流体流出部４４０４Ｂ１に接続された流体循環部材４４８Ａの他端が接続される。そして、流体循環部材４４８Ａを介して中継タンク４４０４内部の冷却流体が光変調素子保持体４４０２Ｂ内部（後述する冷却室Ｒ２）に流入する。
【００５６】
さらにまた、この枠状部材４４０６において、その上方側端部には、図９に示すように、光束射出側から見て左右方向略中央部分より左側にずれた位置に、上方側に位置する凹部４４０６Ｅの上方側の側壁に貫通し、内部の冷却流体を外部に流出させる流出口４４０６Ｉが形成されている。この流出口４４０６Ｉは、流体循環部材４４８の管径寸法よりも小さい管径寸法を有する略筒状部材から構成され、枠状部材４４０６の外側に突出するように形成されている。
【００５７】
ここで、Ｂ色光側の光変調素子保持体４４０２Ｂにおける流出口４４０６Ｉの外側に突出した端部には、図４に示すように、流体循環部材４４８Ｂの一端が接続される。この流体循環部材４４８Ｂの他端は、図４に示すように、Ｇ色光側の光変調素子保持体４４０２Ｇにおける流入口４４０６Ｈの突出した端部に接続される。
また、Ｇ色光側の光変調素子保持体４４０２Ｇにおける流出口４４０６Ｉの突出した端部には、図４に示すように、流体循環部材４４８Ｃの一端が接続される。この流体循環部材４４８Ｇの他端は、図４に示すように、Ｒ色光側の光変調素子保持体４４０２Ｒにおける流入口４４０６Ｈの突出した端部に接続される。
さらに、Ｒ色光側の光変調素子保持体４４０２Ｒにおける流出口４４０６Ｉの突出した端部には、図４に示すように、中継タンク４４０４の第１冷却流体流入部４４０４Ａ１に接続された流体循環部材４４８Ｄの他端が接続される。
したがって、３つの光変調素子保持体４４０２は、流体循環部材４４８Ａ〜４４８Ｄにより直列に接続され、光変調素子保持体４４０２Ｂ〜光変調素子保持体４４０２Ｇ〜光変調素子保持体４４０２Ｒの流路を冷却流体が流通する。
本実施形態では、流入口４４０６Ｈおよび流出口４４０６Ｉの内径断面積は、筒状部４４０６Ｃの内径断面積、あるいは筒状部４４０６Ｄの内径断面積と略同一断面積となるように設定している。このような構成とすることで、光変調素子保持体４４０２内での冷却流体の流路抵抗を略同一とすることができ、冷却流体の対流速度を速めることが可能となる。
【００５８】
また、この枠状部材４４０６において、上方側に位置する凹部４４０６Ｅには、図９（Ａ）に示すように、流出口４４０６Ｉが該凹部４４０６Ｅの側壁に連通する部位と孔４４０６Ｄ１とを囲う隔壁４４０６Ｎが立設されている。
以上のように、液晶パネル４４１および射出側偏光板４４３により開口部４４０６Ａの光束入射側および光束射出側が閉塞されると、枠状部材４４０６内部（開口部４４０６Ａ内、および、凹部４４０６Ｅと射出側偏光板４４３との空隙）に冷却流体を封入可能とする第１冷却室としての冷却室Ｒ２（図１３または図１４参照）が形成される。この際、冷却室Ｒ２（図１３または図１４参照）は、隔壁４４０６Ｎにより、流入口４４０６Ｈおよび筒状部４４０６Ｃの孔４４０６Ｃ１が連通する領域Ｒ２Ａ（図１３または図１４参照）と、流出口４４０６Ｉおよび筒状部４４０６Ｄの孔４４０６Ｄ１が連通する領域Ｒ２Ｂ（図１４参照）とに区画される。
【００５９】
さらに、この枠状部材４４０６において、上方側角隅部分および下方側角隅部分には、図９に示すように、支持部材４４０３の後述するピン状部材を挿通可能とする４つの挿通部４４０６Ｊが形成されている。
さらにまた、この枠状部材４４０６において、左側端部角隅部分および右側端部角隅部分には、図９に示すように、枠状部材４４０５と接続するための接続部４４０６Ｋが形成されている。そして、枠状部材４４０５，４４０６の各接続部４４０５Ｇ，４４０６Ｋにねじ４４０６Ｍ（図７）を螺合することで、液晶パネル４４１が中間枠体４４０９、弾性部材４４０７の後述する第２弾性部材および第３弾性部材を介して枠状部材４４０５，４４０６間に挟持され、枠状部材４４０５，４４０６の各開口部４４０５Ａ，４４０６Ａの対向する面側が封止される。
また、この枠状部材４４０６において、左側端部略中央部分および右側端部略中央部分には、図９に示すように、偏光板固定部材４４０８Ｂが係合するフック４４０６Ｌが形成されている。
【００６０】
４つの弾性部材４４０７は、図７に示すように、入射側偏光板４４２および枠状部材４４０５の間に介在配置される第１弾性部材４４０７Ａと、枠状部材４４０５および液晶パネル４４１の間に介在配置される第２弾性部材４４０７Ｂと、液晶パネル４４１および枠状部材４４０６の間に介在配置される第３弾性部材４４０７Ｃと、枠状部材４４０６および射出側偏光板４４３の間に介在配置される第４弾性部材４４０７Ｄとで構成される。
このうち、第１弾性部材４４０７Ａ、第３弾性部材４４０７Ｃ、および第４弾性部材４４０７Ｄは、図７に示すように、略矩形枠状に形成され、枠状部材４４０５，４４０６の各凹部４４０５Ｅ，４４０６Ｇ，４４０６Ｂに設置される。
また、第２弾性部材４４０７Ｂは、図７に示すように、略矩形枠状に形成されるとともに、下方側端部の左右方向略中央部分、および上方側端部の光束射出側から見て左側角隅部分に、枠状部材４４０６の筒状部４４０６Ｃ，４４０６Ｄをそれぞれ挿通可能とする２つの挿通孔４４０７Ｂ１が形成され、枠状部材４４０５の凹部４４０５Ｂに設置される。
そして、これら弾性部材４４０７は、枠状部材４４０５，４４０６の各冷却室Ｒ１，Ｒ２（図１３または図１４参照）を封止し、入射側偏光板４４２および枠状部材４４０５、枠状部材４４０５および液晶パネル４４１、液晶パネル４４１および枠状部材４４０６、枠状部材４４０６および射出側偏光板４４３の間から冷却流体が漏れることを防止するとともに、筒状部４４０６Ｃ，４４０６Ｄおよび挿通孔４４０５Ｃ，４４０５Ｄの接続部分から液晶パネル４４１側に冷却流体が漏れることも防止している。
【００６１】
これら弾性部材４４０７としては、弾性を有するシリコンゴムを採用でき、さらに、両面あるいは片面に表層の架橋密度を上げる表面処理を施したものが好ましい。例えば、このような弾性部材４４０７としては、サーコンＧＲ−ｄシリーズ（冨士高分子工業の商標）を採用できる。このように、端面に表面処理を施すことにより、弾性部材４４０７を各凹部４４０５Ｂ，４４０５Ｅ，４４０６Ｂ，４４０６Ｇに設置する作業を容易に実施できる。
なお、弾性部材４４０７は、シリコンゴムに限らず、水分透過量の少ないブチルゴムまたはフッ素ゴムを使用してもよい。
【００６２】
偏光板固定部材４４０８Ａ，４４０８Ｂは、入射側偏光板４４２および射出側偏光板４４３を、第１弾性部材４４０７Ａおよび第４弾性部材４４０７Ｄを介して枠状部材４４０５，４４０６の各凹部４４０５Ｅ，４４０６Ｂにそれぞれ押圧固定する。これら偏光板固定部材４４０８Ａ，４４０８Ｂは、図７に示すように、略中央部分に開口部４４０８Ａ１，４４０８Ｂ１が形成された平面視略矩形枠体で構成され、開口部４４０８Ａ１，４４０８Ｂ１周縁部分にて、入射側偏光板４４２および射出側偏光板４４３を枠状部材４４０５，４４０６に対してそれぞれ押圧する。また、これら偏光板固定部材４４０８Ａ，４４０８Ｂには、左右側端縁にそれぞれフック係合部４４０８Ａ２，４４０８Ｂ２が形成され、フック係合部４４０８Ａ２，４４０８Ｂ２を枠状部材４４０５，４４０６の各フック４４０５Ｈ，４４０６Ｌに係合させることで、枠状部材４４０５，４４０６に対して偏光板固定部材４４０８Ａ，４４０８Ｂが入射側偏光板４４２および射出側偏光板４４３を押圧した状態で固定される。
【００６３】
中間枠体４４０９は、アルミニウム製の平面視略矩形状の板体から構成され、液晶パネル４４１を保持するとともに、該液晶パネル４４１を枠状部材４４０５，４４０６の所定位置に位置決めするものである。
この中間枠体４４０９において、その略中央部分には、図７に示すように、液晶パネル４４１の対向基板４４１Ｄを嵌合可能な矩形状の開口部４４０９Ａが形成され、液晶パネル４４１の対向基板４４１Ｄを開口部４４０９Ａに嵌合させることで、中間枠体４４０９に対して液晶パネル４４１が位置決めされる。
また、開口部４４０９Ａの周縁には、開口部４４０９Ａに対向基板４４１Ｄを嵌合させた状態で駆動基板４４１Ｃを遊嵌状態で配置させるための段差部４４０９Ｂが形成されている。ここで、この段差部４４０９Ｂと中間枠体４４０９の光束入射側端面との間の寸法は、対向基板４４１Ｄの厚み寸法よりも小さく設定されており、開口部４４０９Ａに対向基板４４１Ｄを嵌合させ、対向基板４４１Ｄの光束入射側端面と中間枠体４４０９の光束入射側端面とを略面一とした際には、段差部４４０９Ｂと駆動基板４４１Ｃとの間に隙間４４０９Ｃ（図１３または図１４参照）が形成される。そして、この隙間４４０９Ｃ（図１３または図１４参照）に、伸び率の高い接着剤を充填させることで、液晶パネル４４１が中間枠体４４０９に対して位置決め固定される。
さらに、この段差部４４０９Ｂの上方側は、中間枠体４４０９の上方側端縁にかけて延出形成され、中間枠体４４０９に液晶パネル４４１を位置決め固定した状態では、該液晶パネル４４１のフレキシブルプリント基板４４１Ｅが折り曲げられることなく、上方側の段差部４４０９Ｂに配置される。
【００６４】
また、この中間枠体４４０９において、下方側端部の左右方向略中央部分、および上方側端部の光束射出側から見て左側角隅部分には、図７に示すように、枠状部材４４０６の筒状部４４０６Ｃ，４４０６Ｄをそれぞれ挿通可能とする２つの挿通孔４４０９Ｄが形成されている。これら挿通孔４４０９Ｄは、枠状部材４４０６に対する中間枠体４４０９の位置決め用の孔としての機能を有し、予め、中間枠体４４０９に対して液晶パネル４４１を位置決め固定した状態で、中間枠体４４０９の２つの挿通孔４４０９Ｄに枠状部材４４０６の筒状部４４０６Ｃ，４４０６Ｄをそれぞれ挿通することで、枠状部材４４０６に対して中間枠体４４０９が位置決めされ、すなわち、液晶パネル４４１が枠状部材４４０６の所定位置に位置決めされる。
【００６５】
支持部材４４０３は、略中央部分に図示しない開口が形成された平面視矩形枠状の板体から構成される。
この支持部材４４０３において、光束入射側端面には、図４または図５に示すように、光変調素子保持体４４０２の４つの挿通部４４０６Ｊに対応した位置に、板体から突出するピン状部材４４０３Ａが形成されている。
そして、支持部材４４０３は、ピン状部材４４０３Ａを光変調素子保持体４４０２の４つの挿通部４４０６Ｊに挿通することで該光変調素子保持体４４０２を支持し、板体の光束射出側端面をクロスダイクロイックプリズム４４４の光束入射側端面に接着固定することで、光変調素子保持体４４０２をクロスダイクロイックプリズム４４４に一体化する。
【００６６】
〔ラジエータの構造〕
図１０は、ラジエータ４４７の構造、およびラジエータ４４７と軸流ファン３２との配置関係を示す図である。具体的に、図１０（Ａ）は、ラジエータ４４７および軸流ファン３２を上方から見た斜視図である。また、図１０（Ｂ）は、ラジエータ４４７および軸流ファン３２をラジエータ４４７側から見た平面図である。
ラジエータ４４７は、図１または図２に示すように、外装ケース２に形成された隔壁２１内に配置され、光学装置本体４４０において各液晶パネル４４１、各入射側偏光板４４２、および各射出側偏光板４４３にて温められた冷却流体の熱を放熱する。このラジエータ４４７は、図１０に示すように、固定部４４７１と、管状部材４４７２と、複数のフィン４４７３とを備える。
固定部４４７１は、例えば、金属等の熱伝導性部材から構成され、図１０（Ｂ）に示すように、平面視略コ字形状を有し、対向するコ字状端縁に管状部材４４７２が挿通可能に構成されている。また、この固定部４４７１は、コ字状内側面にて複数の放熱フィン４４７３を支持する。この固定部４４７１のコ字状先端部分には、外側に延出する延出部４４７１Ａが形成され、該延出部４４７１Ａの孔４４７１Ａ１を介して図示しないねじを外装ケース２に螺合することでラジエータ４４７が外装ケース２に固定される。
【００６７】
管状部材４４７２は、アルミニウムから構成され、図１０（Ｂ）に示すように、固定部４４７１の一方のコ字状先端端縁から他方のコ字状先端端縁に向けて延出し、この延出方向先端部分が略９０°屈曲して下方側に延出し、さらにこの延出方向先端部分が略９０°屈曲して固定部４４７１の他方のコ字状先端端縁から一方のコ字状先端端縁に向けて延出する平面視略コ字形状を有し、固定部４４７１および放熱フィン４４７３と熱伝達可能に接続する。また、この管状部材４４７２は、流体循環部材４４８の管径寸法よりも小さい管径寸法を有し、図１０（Ｂ）に示す上方側の一端が、光学装置本体４４０における中継タンク４４０４の第２冷却流体流出部４４０４Ｂ２と接続した流体循環部材４４８の他端と接続する。また、図１０（Ｂ）に示す下方側の他端が、メインタンク４４５の冷却流体流入部４４５Ａと接続した流体循環部材４４８の他端と接続する。したがって、第２中継タンク４４０４から流出した冷却流体が流体循環部材４４８を介して管状部材４４７２を通り、管状部材４４７２を通った冷却流体が流体循環部材４４８を介してメインタンク４４５内に流入する。
【００６８】
放熱フィン４４７３は、例えば、金属等の熱伝導性部材からなる板体で構成され、管状部材４４７２を挿通可能に構成されている。そして、複数の放熱フィン４４７３は、管状部材４４７２の挿通方向と直交する方向に延びるようにそれぞれ形成され、管状部材４４７２の挿通方向に沿って並列配置している。このような複数の放熱フィン４４７３の配置状態では、図１０に示すように、軸流ファン３２から吐出される冷却空気は、複数の放熱フィン４４７３の間を通り抜けることになる。
【００６９】
次に、液晶パネル４４１、入射側偏光板４４２、および射出側偏光板４４３の冷却構造を説明する。
図１１ないし図１４は、液晶パネル４４１、入射側偏光板４４２、および射出側偏光板４４３の冷却構造を説明するための図である。具体的に、図１１は、光学装置本体４４０を上方側から見た平面図である。図１２は、光変調素子保持体４４０２を光束射出側から見た平面図である。図１３は、図１２におけるＣ−Ｃ線の断面図である。図１４は、図１２におけるＤ−Ｄ線の断面図である。
流体圧送部４４６が駆動することにより、流体循環部材４４８を介して、メインタンク４４５内の冷却流体が流体圧送部４４６内に送入されるとともに、図１１に示すように、流体圧送部４４６から中継タンク４４０４の領域Ａｒ１内に送出される。
【００７０】
そして、中継タンク４４０４の領域Ａｒ１内に送入された冷却流体は、図１１に示すように、流体循環部材４４８Ａを介して、Ｂ色光側の光変調素子保持体４４０２Ｂへと流通する。さらに、この冷却流体は、図１２または図１３に示すように、Ｂ色光側の光変調素子保持体４４０２Ｂの流入口４４０６Ｈから該光変調素子保持体４４０２Ｂの冷却室Ｒ２の領域Ｒ２Ａへと流入する。
ここで、光源装置４１１から射出された光束により、液晶パネル４４１Ｂ、Ｂ色光側の入射側偏光板４４２、およびＢ色光側の射出側偏光板４４３に生じた熱は、冷却室Ｒ２の領域Ｒ２Ａ内の冷却流体に伝達される。
冷却室Ｒ２の領域Ｒ２Ａ内の冷却流体に伝達された熱は、図１３に示すように、冷却流体の流れにしたがって、図１３中、下方に向けて移動する。また、下方に向けて移動した熱は、冷却流体の流れにしたがって、枠状部材４４０６における下方側の凹部４４０６Ｅ（図９（Ａ））の下方側の側壁により、左右方向略中央部分へと案内される。そして、左右方向略中央部分へと案内された熱は、図１３に示すように、冷却流体の流れにしたがって、筒状部４４０６Ｃおよびこの筒状部４４０６Ｃと接続する挿通孔４４０５Ｃを介して、冷却室Ｒ１内に移動する。
【００７１】
ここでまた、光源装置４１１から射出された光束により、液晶パネル４４１Ｂの対向基板４４１Ｄ、およびＢ色光側の入射側偏光板４４２に生じた熱は、冷却室Ｒ１内の冷却流体に伝達される。
冷却室Ｒ１内の冷却流体に伝達された熱は、図１３に示すように、冷却室Ｒ２内から移動した熱とともに、冷却流体の流れにしたがって、図１３中、上方に向けて移動する。また、上方に向けて移動した熱は、冷却流体の流れにしたがって、枠状部材４４０５における上方側の凹部４４０５Ｆ（図８（Ｂ））の側壁により、上方側角隅部分の一方（光束入射側から見て右側の角隅部分）へと案内される。そして、上方側角隅部分の一方へと案内された熱は、図１４に示すように、冷却流体の流れにしたがって、挿通孔４４０５Ｄおよびこの挿通孔４４０５Ｄと接続する筒状部４４０６Ｄを介して冷却室Ｒ２の領域Ｒ２Ｂ内に移動し、領域Ｒ２Ｂ内から流出口４４０６Ｉを介して外部へと移動する。
【００７２】
光変調素子保持体４４０２Ｂの外部へと移動した熱は、図１１に示すように、冷却流体の流れにしたがって、流体循環部材４４８Ｂ，４４８Ｃを介して、光変調素子保持体４４０２Ｂ〜光変調素子保持体４４０２Ｇ〜光変調素子保持体４４０２Ｒへと移動する。
この際、光変調素子保持体４４０２Ｇ，４４０２Ｒでは、光変調素子保持体４４０２Ｂ内部の冷却構造と同様に、冷却流体が内部を流通することで、液晶パネル４４１Ｇ，４４１Ｒ、Ｇ色光側・Ｒ色光側の入射側偏光板４４２、およびＧ色光側・Ｒ色光側の射出側偏光板４４３に生じた熱が該冷却流体に伝達される。
そして、冷却流体の流れにしたがって光変調素子保持体４４０２Ｒの外部へと移動した熱は、図１１に示すように、流体循環部材４４８Ｄを介して、中継タンク４４０４の領域Ａｒ２内へと移動する。
【００７３】
この後、中継タンク４４０４の領域Ａｒ２内に移動した熱は、冷却流体の流れにしたがって、流体循環部材４４８を介して中継タンク４４０４の領域Ａｒ２〜ラジエータ４４７へと移動する。温められた冷却流体がラジエータ４４７の管状部材４４７２を通過する際、該冷却流体の熱は、管状部材４４７２〜複数の放熱フィン４４７３に伝達される。そして、軸流ファン３２から吐出される冷却空気により、複数の放熱フィン４４７３に伝達された熱が冷却される。
そして、ラジエータ４４７にて冷却された冷却流体は、ラジエータ４４７〜メインタンク４４５〜流体圧送部４４６〜中継タンク４４０４の領域Ａｒ１内へと移動し、再度、光変調素子保持体４４０２Ｂにおける冷却室Ｒ２の領域Ｒ２Ａへと移動する。
【００７４】
また、冷却ユニット３のシロッコファン３１により、冷却空気が光変調素子保持体４４０２の外面、および光変調素子保持体４４０２と支持部材４４０３との間に流入し、入射側偏光板４４２の光束入射側端面および射出側偏光板４４３の光束射出側端面を冷却する。
【００７５】
上述した第１実施形態においては、流体循環部材４４８Ａ〜４４８Ｄは、３つの光変調素子保持体４４０２Ｂ，４４０２Ｇ，４４０２Ｒの各冷却室Ｒ１，Ｒ２を直列に接続するので、ラジエータ４４７、流体圧送部４４６、およびメインタンク４４５等の他の部材を、３つの光変調素子保持体４４０２Ｂ，４４０２Ｇ，４４０２Ｒの各冷却室Ｒ１，Ｒ２に対して共通化できる。このため、ラジエータ４４７、流体圧送部４４６、およびメインタンク４４５等の他の部材を３つの光変調素子保持体４４０２Ｂ，４４０２Ｇ，４４０２Ｒに応じてそれぞれ設ける必要がなく、液晶パネル４４１が３つで構成された場合であっても、光学装置４４が大型化することがなく、すなわち、プロジェクタ１の小型化を図れる。
【００７６】
ここで、中継タンク４４０４がクロスダイクロイックプリズム４４４の上面に取り付けられているので、３つの光変調素子保持体４４０２Ｒ，４４０２Ｇ，４４０２Ｂと、ラジエータ４４７、流体圧送部４４６、およびメインタンク４４５等の他の部材とを直接、流体循環部材４４８にて接続する必要がなく、中継タンク４４０４と前記他の部材とを流体循環部材４４８にて接続すればよい。このため、流体循環部材４４８の引き回し作業を容易に実施できる。
また、３つの光変調素子保持体４４０２Ｂ，４４０２Ｇ，４４０２Ｒの各冷却室Ｒ１，Ｒ２が直列に接続しているので、中継タンク４４０４に対して３つの光変調素子保持体４４０２Ｒ，４４０２Ｇ，４４０２Ｂを並列に接続する構成に比較して、流体循環部材４４８の引き回し本数を低減できるとともに、中継タンク４４０４における流体循環部材４４８の接続箇所も低減できる。したがって、流体循環部材４４８の引き回し作業をさらに容易に実施できる。
【００７７】
さらに、中継タンク４４０４は、クロスダイクロイックプリズム４４４における上面にのみ取り付けられているので、中継タンク４４０４を２体で構成し、クロスダイクロイックプリズム４４４における上下面の双方にそれぞれ取り付ける構成と比較して、部材を省略して光学装置４４の小型化を図れる。
さらにまた、中継タンク４４０４の内部は、隔壁４４０４Ｃにより２つの領域Ａｒ１，Ａｒ２に区画されるので、３つの光変調素子保持体４４０２Ｂ，４４０２Ｇ，４４０２Ｒの各冷却室Ｒ１，Ｒ２へと送出する冷却流体、および、３つの光変調素子保持体４４０２Ｂ，４４０２Ｇ，４４０２Ｒの各冷却室Ｒ１，Ｒ２から送入された冷却流体が混合することがなく、３つの光変調素子保持体４４０２Ｂ，４４０２Ｇ，４４０２Ｒの各冷却室Ｒ１，Ｒ２への冷却流体の送出、および３つの光変調素子保持体４４０２Ｂ，４４０２Ｇ，４４０２Ｒの各冷却室Ｒ１，Ｒ２からの冷却流体の送入を効率的に実施できる。
【００７８】
そして、流入口４４０６Ｈおよび流出口４４０６Ｉが、光変調素子保持体４４０２を構成する枠状部材４４０６の上端部にそれぞれ形成されているので、光学装置本体４４０に対する流体循環部材４４８Ａ〜４４８Ｄの接続を、上方側からの一方向に集約でき、流体循環部材４４８の引き回し作業をさらに一層容易に実施できる。
また、光変調素子保持体４４０２における冷却室は、２つの冷却室Ｒ１，Ｒ２で構成され、これら冷却室Ｒ１，Ｒ２が筒状部４４０６Ｃ，４４０６Ｄおよび挿通孔４４０５Ｃ，４４０５Ｄにより連通接続されるので、筒状部４４０６Ｃ，４４０６Ｄおよび挿通孔４４０５Ｃ，４４０５Ｄを介して冷却室Ｒ１から冷却室Ｒ２へ、または冷却室Ｒ２から冷却室Ｒ１へと冷却流体を流通させることができる。このため、液晶パネル４４１の光束入射側および光束射出側を略同一の温度である冷却流体により冷却でき、液晶パネル４４１の光束入射側および光束射出側を効率的に冷却できる。
【００７９】
さらに、筒状部４４０６Ｃ，４４０６Ｄおよび挿通孔４４０５Ｃ，４４０５Ｄを形成することで、流入口４４０６Ｈおよび流出口４４０６Ｉを冷却室Ｒ１，Ｒ２に応じて２つずつ設けなくてもよく、光変調素子保持体４４０２に各１つのみの流入口４４０６Ｈおよび流出口４４０６Ｉを設ける構成を採用できる。このことにより、流入口４４０６Ｈおよび流出口４４０６Ｉを冷却室Ｒ１，Ｒ２に応じて２つずつ設ける構成と比較して、流入口４４０６Ｈおよび流出口４４０６Ｉと接続する流体循環部材４４８の引き回し本数を低減できるとともに、光変調素子保持体４４０２に対する流体循環部材４４８の接続箇所を低減できる。したがって、冷却室を２つの冷却室Ｒ１，Ｒ２で構成した場合であっても、流体循環部材４４８の引き回し作業を容易に実施でき、光変調素子保持体４４０２周りのスペース効率の向上が図れる。また、接続箇所を削減することで、冷却流体が漏れる箇所も低減できる。さらに、流体循環部材４４８を光変調素子保持体４４０２に接続した状態で流体循環部材４４８による光変調素子保持体４４０２に対する反力を低減でき、クロスダイクロイックプリズム４４４に対する各光変調素子保持体４４０２の相互の位置ずれを回避し、各液晶パネル４４１間の画素ずれを抑制できる。
【００８０】
さらにまた、筒状部４４０６Ｃおよび挿通孔４４０５Ｃは、流入口４４０６Ｈを介して冷却室Ｒ２の領域Ｒ２Ａ内に流入し、該領域Ｒ２Ａ内において上方側から下方側へと流通した冷却流体を冷却室Ｒ１内に流入させ、筒状部４４０６Ｄおよび挿通孔４４０５Ｃは、冷却室Ｒ１内において下方側から上方側へと流通した冷却流体を冷却室Ｒ２の領域Ｒ２Ｂ内に流入させて流出口４４０６Ｉを介して外部に流出させるので、流入口４４０６Ｈおよび流出口４４０６Ｉが枠状部材４４０６における上端部にそれぞれ形成されていても、各冷却室Ｒ１，Ｒ２の双方に確実に冷却流体を流通させることができる。
また、枠状部材４４０６において、上方側に位置する凹部４４０６Ｅには隔壁４４０６Ｎが立設されているので、該隔壁４４０６Ｎにより、冷却室Ｒ２内部を、領域Ｒ２Ａおよび領域Ｒ２Ｂに区画することができる。したがって、筒状部４４０６Ｄおよび挿通孔４４０５Ｄを介して冷却室Ｒ２に流入した冷却流体を、領域Ｒ２Ｂ内部に閉じ込めて流出口４４０６Ｉを介して外部へと流出させることができる。このため、冷却室Ｒ１内で液晶パネル４４１にて温められた冷却流体が冷却室Ｒ２内に流入した際、冷却室Ｒ２の領域Ｒ２Ａ内に流通することを回避でき、液晶パネル４４１と冷却室Ｒ１，Ｒ２内の冷却流体との温度差が小さくなることがなく、冷却流体により液晶パネル４４１をさらに効率的に冷却できる。
【００８１】
そして、流体循環部材４４８Ｂ，４４８Ｃは、隣接する光変調素子保持体４４０２Ｂと光変調素子保持体４４０２Ｇの各冷却室Ｒ１，Ｒ２、および光変調素子保持体４４０２Ｇと光変調素子保持体４４０２Ｒの各冷却室Ｒ１，Ｒ２を直列に接続するので、例えば、光変調素子保持体４４０２Ｒと光変調素子保持体４４０２Ｂの各冷却室Ｒ１，Ｒ２を直列に接続する構成と比較して、流体循環部材４４８の長さ寸法を短くでき、流体循環部材４４８の引き回し作業を容易に実施できる。
【００８２】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
前記第１実施形態では、光学装置本体４４０において、光変調素子保持体４４０２の流入口４４０６Ｈおよび流出口４４０６Ｉは、枠状部材４４０６の一側端部である上端部にそれぞれ形成されている。
これに対して第２実施形態では、光学装置本体５４０において、光変調素子保持体５４０２の流入口５４０５Ｉおよび流出口５４０６Ｉは、枠状部材５４０５の下方端部、および枠状部材５４０６の上方端部にそれぞれ形成されている。光学装置本体５４０を除くその他の構成は、前記第１実施形態と同様のものとする。
【００８３】
具体的に、図１５および図１６は、第２実施形態における光学装置本体５４０の概略構成を示す図である。図１５は、光学装置本体５４０を上方から見た斜視図であり、図１６は、光学装置本体５４０を下方から見た斜視図である。
光学装置本体５４０は、前記第１実施形態で説明した液晶パネル４４１、入射側偏光板４４２、射出側偏光板４４３、クロスダイクロイックプリズム４４４、および支持部材４４０３の他、第１中継部としての第１中継タンク５４０１と、３つの光変調素子保持体５４０２（Ｒ色光側の光変調素子保持体を５４０２Ｒ、Ｇ色光側の光変調素子保持体を５４０２Ｇ、Ｂ色光側の光変調素子保持体を５４０２Ｂとする）と、第２中継部としての第２中継タンク５４０４とを備える。
すなわち、第１中継タンク５４０１および第２中継タンク５４０４が、本発明に係る冷却流体中継部に相当する。
なお、本実施形態では、図１５または図１６に示すように、第１実施形態に対してＲ色光およびＢ色光の配置位置を逆に設定している。
また、液晶パネル４４１の構成は前記第１実施形態と同様の構成を有しているが、フレキシブルプリント基板４４１Ｅには、光変調素子保持体５４０２における後述する筒状部を挿通可能とする挿通孔４４１Ｅ１（図１８）が形成されているものとする。
【００８４】
図１７は、第１中継タンク５４０１の構造を示す図である。具体的に、図１７（Ａ）は、第１中継タンク５４０１を上方から見た平面図である。図１７（Ｂ）は、図１７（Ａ）におけるＥ−Ｅ線の断面図である。
第１中継タンク５４０１は、前記第１実施形態で説明したプリズム固定板４４０１と略同様の形状を有し、プリズム固定板４４０１の腕部４４０１Ａ（孔４４０１Ａ１を含む）および図示しない膨出部と同様の、腕部５４０１Ａ（孔５４０１Ａ１を含む）および膨出部５４０１Ｂを有している。
また、この第１中継タンク５４０１は、内部に冷却流体を封入可能とする中空状に形成され、流体圧送部４４６から強制的に送出された冷却流体を送入し、送入した冷却流体をＢ色光側の光変調素子保持体５４０２Ｂに送出する。
この第１中継タンク５４０１において、底面の略中央部分には、図１７（Ｂ）に示すように、流体圧送部４４６から圧送された冷却流体を内部に流入させる冷却流体流入部５４０１Ｃが形成されている。この冷却流体流入部５４０１Ｃは、流体循環部材４４８の管径寸法よりも小さい管径寸法を有する略筒状部材から構成され、第１中継タンク５４０１内外に突出するように配置されている。そして、冷却流体流入部５４０１の外側に突出した一端には、流体圧送部４４６に連通接続された流体循環部材４４８の他端が接続され、該流体循環部材４４８を介して流体圧送部４４６から圧送された冷却流体が第１中継タンク５４０１内部に流入する。
【００８５】
また、この第１中継タンク５４０１において、クロスダイクロイックプリズム４４４におけるＢ色光側の光束入射側端面に対応する側面には、図１７に示すように、送入された冷却流体をＢ色光側の光変調素子保持体５４０２Ｂに流出させる冷却流体流出部５４０１Ｄが形成されている。
この冷却流体流出部５４０１Ｄは、冷却流体流入部５４０１Ｃと同様に、流体循環部材４４８の管径寸法よりも小さい管径寸法を有する略筒状部材から構成され、第１中継タンク５４０１内外に突出するように配置されている。そして、冷却流体流出部５４０１Ｄの外側に突出した一端には、図１６に示すように、流体循環部材４４８Ｅの一端が接続され、該流体循環部材４４８Ｅを介して第１中継タンク５４０１内部の冷却流体が外部へと流出する。
そして、第１中継タンク５４０１を光学部品用筐体４５に固定した状態では、第１中継タンク５４０１および光学部品用筐体４５は、熱伝達可能に接続される。このように、第１中継タンク５４０１が光学部品用筐体４５に熱伝達可能に接続されることで、循環する冷却流体〜第１中継タンク５４０１〜光学部品用筐体４５への熱伝達経路を確保し、冷却流体の冷却効率を向上させ、ひいては、冷却流体による液晶パネル４４１、入射側偏光板４４２、および射出側偏光板４４３の冷却効率の向上を図れる。また、シロッコファン３１の送風を光学部品用筐体４５の底面に沿って流せば、循環する冷却流体の放熱面積を増加でき、さらに、冷却効率が高められる。
【００８６】
図１８は、光変調素子保持体５４０２の概略構成を示す分解斜視図である。
なお、３つの光変調素子保持体５４０２Ｒ，５４０２Ｇ，５４０２Ｂは、同様の構成であり、以下では１つの光変調素子保持体５４０２のみを説明する。
３つの光変調素子保持体５４０２Ｒ，５４０２Ｇ，５４０２Ｂは、前記第１実施形態で説明した一対の偏光板固定部材４４０８Ａ，４４０８Ｂの他、一対の枠状部材５４０５，５４０６と、４つの弾性部材５４０７と、中間枠体５４０９とを備える。
【００８７】
図１９は、枠状部材５４０５の概略構成を示す図である。具体的に、図１９（Ａ）は、枠状部材５４０５を光束射出側から見た斜視図である。また、図１９（Ｂ）は、枠状部材５４０５を光束入射側から見た斜視図である。
枠状部材５４０５は、枠状部材５４０６に対して光束入射側に配置され、液晶パネル４４１の光束入射側を支持するとともに、入射側偏光板４４２の光束射出側を支持するものであり、その具体的な構造は、前記第１実施形態で説明した枠状部材４４０５と略同様である。すなわち、この枠状部材５４０５は、前記第１実施形態で説明した枠状部材４４０５の開口部４４０５Ａ（斜面４４０５Ａ１を含む）、凹部４４０５Ｂ，４４０５Ｅ，４４０５Ｆ、接続部４４０５Ｇ、およびフック４４０５Ｈと略同様の、開口部５４０５Ａ（斜面５４０５Ａ１を含む）、凹部５４０５Ｂ，５４０５Ｅ，５４０５Ｆ、接続部５４０５Ｇ、およびフック５４０５Ｈを有している。
【００８８】
この枠状部材５４０５において、凹部５４０５Ｂにおける下方側左右方向略中央部分には、図１９に示すように、前記第１実施形態で説明した筒状部４４０６Ｃと略同様の形状であり、光束射出側端面および光束入射側端面を貫通する孔５４０５Ｃ１を有して光束射出側端面から略直交して突出する筒状部５４０５Ｃが形成されている。
この筒状部５４０５Ｃは、後述する流入口に対して略直交するように連通接続している。そして、この筒状部５４０５Ｃの内側面の一部は、前記流入口の中心軸と交差するように延出し、該内側面の一部には前記流入口を介して流入した冷却流体を、枠状部材５４０５の光束入射側および光束射出側に分流する突出部５４０５Ｃ２（図２４参照）が形成されている。
突出部５４０５Ｃ２（図２４参照）は、略三角柱形状を有し、その軸方向が枠状部材５４０５の光束入射側端面および光束射出側端面と平行するように形成されている。すなわち、三角柱状の３つの側面のうち、１つの側面が筒状部５４０５Ｃの内壁に接続し、他の２つの側面が光束入射側および光束射出側にそれぞれ向くように形成されている。そして、このような突出部５４０５Ｃ２（図２４参照）により、後述する流入口を介して流入した冷却流体が前記２つの側面に案内されて枠状部材５４０５の光束入射側および光束射出側に分流される。
【００８９】
また、凹部５４０５Ｂにおける上方側の左右方向略中央部分には、図１９に示すように、光束射出側端面および光束入射側端面を貫通し、枠状部材５４０６の後述する筒状部を挿通可能とする挿通孔５４０５Ｄが形成されている。
そして、凹部５４０５Ｆは、筒状部５４０５Ｃの孔５４０５Ｃ１、および挿通孔５４０５Ｄと接続するように、開口部５４０５Ａの上下側端部周縁にそれぞれ形成されている。ここで、これら凹部５４０５Ｆのうち、上方側に位置する凹部５４０５Ｆの上方側の側壁は、図１９（Ａ）に示すように、左右方向略中央部分が上方に窪み凹となる曲面状に形成されている。
【００９０】
以上のような構成では、枠状部材５４０５は、前記第１実施形態で説明した枠状部材４４０５と同様に、凹部５４０５Ｂにて弾性部材５４０７の後述する第２弾性部材および中間枠体５４０９を介して液晶パネル４４１の光束入射側端面を支持することで、開口部５４０５Ａの光束射出側が閉塞される。また、枠状部材５４０５に対して偏光板固定部材４４０８Ａを固定することで、入射側偏光板４４２が弾性部材５４０７の後述する第１弾性部材を介して枠状部材５４０５に押圧され、枠状部材５４０５の開口部５４０５Ａの光束入射側が封止される。そして、枠状部材５４０５の開口部５４０５Ａの光束入射側および光束射出側が閉塞されることで、枠状部材５４０５内部（開口部５４０５Ａ内、および、凹部５４０５Ｆと入射側偏光板４４２との空隙）に冷却流体を封入可能とする第１冷却室としての冷却室Ｒ３（図２４参照）が形成される。
【００９１】
また、この枠状部材５４０５において、その下方側端部略中央部分には、図１９に示すように、下方側に位置する凹部５４０５Ｆの下方側の側壁に貫通し、外部からの冷却流体を内部に流入させる流入口５４０５Ｉが形成されている。この流入口５４０５Ｉは、前記第１実施形態の流入口４４０６Ｈと同様の形状を有する。
ここで、Ｂ色光側の光変調素子保持体５４０２Ｂにおける流入口５４０５Ｉの突出した端部には、図１６に示すように、第１中継タンク５４０１の冷却流体流出部５４０１Ｄに接続された流体循環部材４４８Ｅの他端が接続され、該流体循環部材４４８Ｅを介して第１中継タンク５４０１から流出した冷却流体が内部に流入する。
【００９２】
図２０は、枠状部材５４０６の概略構成を示す図である。具体的に、図２０（Ａ）は、枠状部材５４０６を光束射出側から見た斜視図である。図２０（Ｂ）は、枠状部材５４０６を光束入射側から見た斜視図である。
枠状部材５４０６は、上述した枠状部材５４０５との間に、弾性部材５４０７および中間枠体５４０９を介して液晶パネル４４１を挟持するとともに、枠状部材５４０５と対向する面と反対の面側にて弾性部材５４０７を介して射出側偏光板４４３を支持するものであり、その具体的な構造は、前記第１実施形態で説明した枠状部材４４０６と略同様である。すなわち、この枠状部材５４０６は、前記第１実施形態で説明した枠状部材４４０６の開口部４４０６Ａ（斜面４４０６Ａ１を含む）、凹部４４０６Ｂ、挿通部４４０６Ｊ、接続部４４０６Ｋ、およびフック４４０６Ｌと略同様の、開口部５４０６Ａ（斜面５４０６Ａ１を含む）、凹部５４０６Ｂ、挿通部５４０６Ｊ、接続部５４０６Ｋ、およびフック５４０６Ｌを有している。
【００９３】
この枠状部材５４０６において、光束入射側端面には、図２０（Ｂ）に示すように、弾性部材４４０７の後述する第３弾性部材の形状に対応して矩形枠状の凹部５４０６Ｇが形成されている。
この凹部４４０６Ｇにおける下方側の左右方向略中央部分には、図２０に示すように、光束射出側端面および光束入射側端面を貫通し、上述した枠状部材５４０５における筒状部５４０５Ｃを挿通可能とする挿通孔５４０６Ｃが形成されている。そして、枠状部材５４０６と枠状部材５４０５とを組み合わせた状態では、枠状部材５４０５における筒状部５４０５Ｃが、中間枠体５４０９の後述する挿通孔、および弾性部材５４０７の後述する第３弾性部材の挿通孔を介して、枠状部材５４０６における挿通孔５４０６Ｃに挿通される。このため、流入口５４０５Ｉを介して枠状部材５４０５内部に流入した冷却流体は、筒状部５４０５Ｃの突出部５４０５Ｃ２に分流され、筒状部５４０５Ｃの孔５４０５Ｃ１および挿通孔５４０６Ｃを介して枠状部材５４０５の光束入射側（冷却室Ｒ３（図２４参照））および枠状部材５４０６の光束射出側（後述する冷却室Ｒ４（図２４参照））に流通する。
すなわち、筒状部５４０５Ｃおよび挿通孔５４０６Ｃが本発明に係る分流口に相当する。
【００９４】
また、この凹部５４０６Ｇにおける上方側の左右方向略中央部分には、図２０に示すように、前記第１実施形態で説明した筒状部４４０６Ｄと同様の形状であり、上述した枠状部材５４０５における挿通孔５４０５Ｄに対応して、光束射出側端面および光束入射側端面を貫通する孔５４０６Ｄ１を有して光束入射側端面から略直交して突出する筒状部５４０６Ｄが形成されている。そして、枠状部材５４０６と枠状部材５４０５とを組み合わせた状態では、枠状部材５４０６における筒状部５４０６Ｄが、液晶パネル４４１におけるフレキシブルプリント基板４４１Ｅの挿通孔４４１Ｅ１、中間枠体５４０９の後述する挿通孔、および弾性部材５４０７の後述する第２弾性部材の挿通孔を介して、枠状部材５４０５における挿通孔５４０５Ｄに挿通される。このため、枠状部材５４０５の光束入射側（冷却室Ｒ３（図２４参照））および枠状部材５４０６の光束射出側（後述する冷却室Ｒ４（図２４参照））を筒状部５４０６Ｄの孔５４０６Ｄ１、および挿通孔５４０５Ｄを介して冷却流体が流通可能となる。
すなわち、筒状部５４０６Ｄおよび挿通孔５４０５Ｄが本発明に係る合流口に相当する。
また、筒状部５４０５Ｃ，５４０６Ｄおよび挿通孔５４０６Ｃ，５４０５Ｄが本発明に係る連通口に相当する。
【００９５】
そして、この枠状部材５４０６における光束射出側端面には、図２０（Ａ）に示すように、開口部５４０６Ａの上下側端部周縁に、凹部５４０６Ｂよりも深さ寸法の大きい凹部５４０６Ｅが挿通孔５４０６Ｃ、および筒状部５４０６Ｄの孔５４０６Ｄ１と接続するようにそれぞれ形成されている。
なお、凹部５４０６Ｅの形状は、上述した枠状部材５４０５における凹部５４０５Ｆの形状と略同様であり、説明を省略する。
【００９６】
以上のような構成では、前記第１実施形態で説明した光変調素子保持体４４０２と同様に、枠状部材５４０５，５４０６の各接続部５４０５Ｇ，５４０５Ｋにねじ５４０６Ｍ（図１８）を螺合することで、液晶パネル４４１が中間枠体５４０９および弾性部材５４０７の後述する第２弾性部材を介して枠状部材５４０５に押圧されるとともに、中間枠体５４０９および弾性部材５４０７の後述する第３弾性部材を介して枠状部材５４０６に押圧され、枠状部材５４０５の開口部５４０５Ａの光束射出側、および枠状部材５４０６の開口部５４０６Ａの光束入射側が封止される。また、枠状部材５４０６に対して偏光板固定部材４４０８Ｂを固定することで、射出側偏光板４４３が弾性部材５４０７の後述する第４弾性部材を介して枠状部材５４０６に押圧され、枠状部材５４０６の開口部５４０６Ａの光束射出側が封止される。そして、枠状部材５４０６の開口部５４０６Ａの光束入射側および光束射出側が閉塞されると、枠状部材５４０６内部（開口部５４０６Ａ内、および、凹部５４０６Ｅと射出側偏光板４４３との空隙）に冷却流体を封入可能とする第２冷却室としての冷却室Ｒ４（図２４参照）が形成される。
【００９７】
また、光束入射側端面には、図２０（Ｂ）に示すように、筒状部５４０６Ｄの上方に位置し、光束入射側端面から略直交して突出する押圧部５４０６Ｈが形成されている。そして、枠状部材５４０６と枠状部材５４０５とを組み合わせた状態では、押圧部５４０６Ｈが、液晶パネル４４１におけるフレキシブルプリント基板４４１Ｅの挿通孔４４１Ｅ１に挿通され、その先端が中間枠体５４０９の後述する挿通孔の周縁に当接し、中間枠体５４０９を枠状部材５４０５側に押圧する。
【００９８】
さらに、この枠状部材５４０６において、その上方側端部略中央部分には、図２０に示すように、上方側に位置する凹部５４０６Ｅの上方側の側壁に貫通するとともに筒状部５４０６Ｄと略直交して連通接続し、冷却室Ｒ３，Ｒ４（図２４参照）内部の冷却流体を外部に流出させる流出口５４０６Ｉが形成されている。この流出口５４０６Ｉは、前記第１実施形態で説明した流出口４４０６Ｉと同様の形状を有する。
このような構成により、流入口５４０５Ｉ〜冷却室Ｒ３（図２４参照）〜挿通孔５４０５Ｄおよび筒状部５４０６Ｄの孔５４０６Ｄ１〜流出口５４０６Ｉを流通する冷却流体の流路の長さと、流入口５４０５Ｉ〜筒状部５４０５Ｃの孔５４０５Ｃ１および挿通孔５４０６Ｃ〜冷却室Ｒ４（図２４参照）〜流出口５４０６Ｉを流通する冷却流体の流路の長さとが略同一となるように設定されている。
ここで、Ｂ色光側の光変調素子保持体５４０２Ｂにおける流出口５４０６Ｉの突出した端部には、図１５に示すように、流体循環部材４４８Ｆの一端が接続される。この流体循環部材４４８Ｆの他端は、図１６に示すように、Ｇ色光側の光変調素子保持体５４０２Ｇにおける流入口５４０５Ｉの突出した端部に接続される。
また、Ｇ色光側の光変調素子保持体５４０２Ｇにおける流出口５４０６Ｉの突出した端部には、図１５に示すように、流体循環部材４４８Ｇの一端が接続される。この流体循環部材４４８Ｇの他端は、図１６に示すように、Ｒ色光側の光変調素子保持体５４０２Ｒにおける流入口５４０５Ｉの突出した端部に接続される。
さらに、Ｒ色光側の光変調素子保持体５４０２Ｒにおける流出口５４０６Ｉの突出した端部には、図１５に示すように、流体循環部材４４８Ｈの一端が接続される。
したがって、３つの光変調素子保持体５４０２は、前記第１実施形態と同様に流体循環部材４４８Ｅ〜４４８Ｈにより直列に接続され、流体循環部材４４８Ｅ〜４４８Ｈを介して、光変調素子保持体５４０２Ｂ〜光変調素子保持体５４０２Ｇ〜光変調素子保持体５４０２Ｒの流路を冷却流体が流通する。
【００９９】
４つの弾性部材５４０７は、前記第１実施形態で説明した第１弾性部材４４０７Ａおよび第４弾性部材４４０７Ｄの他、第２弾性部材５４０７Ｂおよび第３弾性部材５４０７Ｃを備える。これら弾性部材５４０７の材料は、前記第１実施形態で説明した弾性部材４４０７と同様に、シリコンゴム、水分透過量の少ないブチルゴムまたはフッ素ゴム等を採用できる。
第２弾性部材５４０７Ｂは、前記第１実施形態で説明した第２弾性部材４４０７Ｂと略同様の形状を有し、第２弾性部材４４０７Ｂとは挿通孔の位置のみが異なり、上方側左右方向略中央部分に挿通孔５４０７Ｂ１が形成される。
第３弾性部材５４０７Ｃは、前記第１実施形態で説明した第３弾性部材４４０７Ｃと略同様の形状を有し、下方側左右方向略中央部分に、枠状部材５４０５の筒状部５４０５Ｃを挿通可能とする挿通孔５４０７Ｃ１が形成されている。
中間枠体５４０９も同様に、前記第１実施形態で説明した中間枠体４４０９と略同様の形状を有し、中間枠体４４０９とは上方側の挿通孔の位置のみが異なり、上方側左右方向略中央部分および下方側左右方向略中央部分にそれぞれ挿通孔５４０９Ｄが形成されている。すなわち、この中間枠体５４０９には、図１８に示すように、前記中間枠体４４０９の開口部４４０９Ａおよび段差部４４０９Ｂ（隙間４４０９Ｃを含む）と同様の、開口部５４０９Ａおよび段差部５４０９Ｂ（隙間５４０９Ｃ（図２４参照）を含む）が形成されている。
【０１００】
図２１は、第２中継タンク５４０４の構造を示す図である。具体的に、図２１（Ａ）は、第２中継タンク５４０４を上方から見た平面図である。また、図２１（Ｂ）は、図２１（Ａ）におけるＦ−Ｆ線の断面図である。
第２中継タンク５４０４は、前記第１実施形態で説明した中継タンク４４０４と略同様に略円柱状のアルミニウム製の中空部材で構成され、クロスダイクロイックプリズム４４４の上面に固定される。そして、この第２中継タンク５４０４は、Ｒ色光側の光変調素子保持体５４０２Ｒから送出された冷却流体を送入し、送入した冷却流体を外部に送出する。
この第２中継タンク５４０４において、その上面の略中央部分には、図２１に示すように、Ｒ色光側の光変調素子保持体５４０２Ｒから送出された冷却流体を内部に流入させる冷却流体流入部５４０４Ａが形成されている。この冷却流体流入部５４０４Ａは、前記第１実施形態で説明した中継タンク４４０４の第１冷却流体流入部４４０４Ａ１と略同様の形状を有する。そして、冷却流体流入部５４０４Ａの外側に突出した端部には、Ｒ色光側の光変調素子保持体５４０２Ｒにおける流出口５４０６Ｉに接続された流体循環部材４４８Ｈの他端が接続され、該流体循環部材４４８Ｈを介してＲ色光側の光変調素子保持体５４０２Ｒから送出された冷却流体が第２中継タンク５４０４内部に流入する。
【０１０１】
また、この第２中継タンク５４０４において、外側面の下方側には、図２１に示すように、送入された冷却流体を外部に流出させる冷却流体流出部５４０４Ｂが形成されている。この冷却流体流出部５４０４Ｂは、前記第１実施形態で説明した中継タンク４４０４の第２冷却流体流出部４４０４Ｂ２と略同様の形状を有する。そして、冷却流体流出部４４０４Ｂの外側に突出した端部には、ラジエータ４４７の管状部材４４７２の上方側の端部に接続された流体循環部材４４８の他端が接続され、該流体循環部材４４８を介して第２中継タンク５４０４内部の冷却流体がラジエータへと流出する。
【０１０２】
次に、液晶パネル４４１、入射側偏光板４４２、および射出側偏光板４４３の冷却構造を説明する。
図２２ないし図２４は、液晶パネル４４１、入射側偏光板４４２、および射出側偏光板４４３の冷却構造を説明するための図である。具体的に、図２２は、光学装置本体４４０内における冷却流体の流路を説明する模式図である。図２３は、光変調素子保持体５４０２を光束射出側から見た平面図である。図２４は、図２３におけるＦ−Ｆ線の断面図である。
流体圧送部４４６が駆動することにより、流体循環部材４４８を介して、メインタンク４４５内の冷却流体が流体圧送部４４６内に送入されるとともに、図２２に示すように、流体圧送部４４６から第１中継タンク５４０１に送出される。
【０１０３】
そして、第１中継タンク５４０１内に送入された冷却流体は、図２２に示すように、流体循環部材４４８Ｅを介して、Ｂ色光側の光変調素子保持体５４０２Ｂへと流通し、図２３または図２４に示すように、Ｂ色光側の光変調素子保持体５４０２Ｂの流入口５４０５Ｉを介して内部へと流入する。
光変調素子保持体５４０２Ｂ内部に流入した冷却流体は、図２４に示すように、筒状部５４０５Ｃの突出部５４０５Ｃ２にて分流され、冷却室Ｒ３および冷却室Ｒ４に流入する。
ここで、光源装置４１１から射出された光束により、液晶パネル４４１Ｂ、Ｂ色光側の入射側偏光板４４２、およびＢ色光側の射出側偏光板４４３に生じた熱は、各冷却室Ｒ３，Ｒ４内の冷却流体に伝達される。
冷却室Ｒ４内の冷却流体に伝達された熱は、図２４に示すように、冷却流体の流れにしたがって、図２４中、上方に向けて進み、流出口５４０６Ｉを介して光変調素子保持体５４０２Ｂ外部へと移動する。
【０１０４】
一方、冷却室Ｒ３内の冷却流体に伝達された熱は、図２４に示すように、冷却流体の流れにしたがって、図２４中、上方に向けて移動する。また、上方に向けて移動した熱は、冷却流体の流れにしたがって、枠状部材５４０５における上方側の凹部５４０５Ｆ（図１９（Ｂ））の側壁により、左右方向略中央部分へと案内される。そして、左右方向略中央部分へと案内された熱は、図２４に示すように、冷却流体の流れにしたがって、筒状部５４０６Ｄに接続する挿通孔５４０５Ｄ、筒状部５４０６Ｄの孔５４０６Ｄ１、および流出口５４０６Ｉを介して光変調素子保持体５４０２Ｂ外部へと移動する。
【０１０５】
光変調素子保持体５４０２Ｂの外部へと移動した熱は、図２２に示すように、冷却流体の流れにしたがって、流体循環部材４４８Ｆ，４４８Ｇを介して、光変調素子保持体５４０２Ｂ〜光変調素子保持体５４０２Ｇ〜光変調素子保持体５４０２Ｒへと移動する。
この際、光変調素子保持体５４０２Ｇ，５４０２Ｒでは、前記第１実施形態と同様に、液晶パネル４４１Ｇ，４４１Ｒ、Ｇ色光側・Ｒ色光側の入射側偏光板４４２、およびＧ色光側・Ｒ色光側の射出側偏光板４４３に生じた熱が内部を流通する冷却流体に伝達される。
そして、冷却流体の流れにしたがって光変調素子保持体５４０２Ｒの外部へと移動した熱は、図２２に示すように、流体循環部材４４８Ｈを介して、第２中継タンク５４０４内部へと移動する。
【０１０６】
この後、第２中継タンク５４０４内部に移動した熱は、冷却流体の流れにしたがって、前記第１実施形態と同様に、流体循環部材４４８を介して第２中継タンク５４０４〜ラジエータ４４７へと移動し、放熱される。
そして、ラジエータ４４７２にて冷却された冷却流体は、ラジエータ４４７〜メインタンク４４５〜流体圧送部４４６〜第１中継タンク５４０４へと移動し、再度、Ｂ色光側の光変調素子保持体５４０２Ｂ内部の冷却室Ｒ３，Ｒ４へと移動する。
また、前記第１実施形態と同様に、冷却ユニット３のシロッコファン３１によりプロジェクタ１外部から内部に導入された冷却空気により、入射側偏光板４４２の光束入射側端面および射出側偏光板４４３の光束射出側端面が冷却される。
【０１０７】
上述した第２実施形態においては、前記第１実施形態と比較して、冷却流体中継部は、第１中継タンク５４０１と第２中継タンク５４０４の２体で構成されているので、１体で構成された前記第１実施形態の中継タンク４４０４よりも冷却流体を封入可能な容量を大きくすることができ、光学装置本体４４０における冷却流体の流通を円滑に実施できるとともに、液晶パネル４４１と冷却流体との熱交換能力を向上させることができる。
また、流入口５４０５Ｉが光変調素子保持体５４０２を構成する枠状部材５４０５の下端部に形成され、流出口５４０６Ｉが光変調素子保持体５４０２を構成する枠状部材５４０６の上端部に形成されるので、第１中継タンク５４０１および光変調素子保持体５４０２Ｂにおける流入口５４０５Ｉ、第２中継タンク５４０４および光変調素子保持体５４０２Ｒにおける流出口５４０６Ｉの流体循環部材４４８の接続作業を容易に実施できる。
【０１０８】
さらに、流入口５４０５Ｉおよび流出口５４０６Ｉを上下方向に対向配置することで、冷却室Ｒ３，Ｒ４内における冷却流体の流通方向を上下方向の一方向に設定でき、冷却室Ｒ３，Ｒ４内における冷却流体の流通を円滑に実施でき、冷却流体の対流速度を速めることができる。また、熱の移動方向と冷却流体の対流方向とを同一方向とすることができ、温められた冷却流体が冷却室Ｒ３，Ｒ４内部に滞留することを回避し、液晶パネル４４１の冷却効率の向上を図れる。
そして、筒状部５４０５Ｃ，５４０６Ｄおよび挿通孔５４０６Ｃ，５４０５Ｄは、流入口５４０５Ｉ〜冷却室Ｒ３〜挿通孔５４０５Ｄおよび筒状部５４０６Ｄ〜流出口５４０６Ｉを流通する冷却流体の流路の長さと、流入口５４０５Ｉ〜筒状部５４０５Ｃおよび挿通孔５４０６Ｃ〜冷却室Ｒ４〜流出口５４０６Ｉを流通する冷却流体の流路の長さとが略同一となる位置にそれぞれ形成されているので、液晶パネル４４１の光束入射側および光束射出側の各冷却室Ｒ３，Ｒ４を流通する冷却流体の各流路の長さを略同一に設定でき、冷却室Ｒ３，Ｒ４のいずれかの冷却室に冷却流体が滞留することを回避でき、液晶パネル４４１の光束入射側および光束射出側の温度の均一化を図れる。
【０１０９】
以上、本発明について好適な実施形態を挙げて説明したが、本発明は、これらの実施形態に限定されるものではなく、本発明の要旨を逸脱しない範囲において種々の改良並びに設計の変更が可能である。
前記第１実施形態では、３つの光変調素子保持体４４０２の各冷却室を流体循環部材４４８Ｂ，４４８Ｃにて直列に接続し、前記第２実施形態では、３つの光変調素子保持体５４０２の各冷却室を流体循環部材４４８Ｆ，４４８Ｇにて直列に接続しているが、これに限らない。３つの光変調素子保持体４４０２，５４０２のうち少なくとも２つの光変調素子保持体４４０２，５４０２の各冷却室を流体循環部材４４８にて直列に接続すればよく、例えば、前記第１実施形態では、光変調素子保持体４４０２Ｒ，４４０２Ｇの各冷却室のみを流体循環部材４４８にて直列に接続する構成を採用してもよい。この際、中継タンク４４０４に対して、光変調素子保持体４４０２Ｒ，４４０２Ｇと、光変調素子保持体４４０２Ｂとを流体循環部材４４８にて並列に接続する。また、前記第２実施形態でも同様である。
【０１１０】
前記各実施形態では、冷却室は、液晶パネル４４１の光束入射側および光束射出側の双方に形成される冷却室Ｒ１，Ｒ２、および冷却室Ｒ３，Ｒ４で構成されていたが、これに限らず、液晶パネル４４１の光束入射側または光束射出側のみに形成される構成を採用してもよい。
【０１１１】
前記各実施形態において、光変調素子保持体４４０２，５４０２における流入口４４０６Ｈ，５４０５Ｉおよび流出口４４０６Ｉ，５４０６Ｉの形成位置、および冷却流体の流通方向は、前記各実施形態で説明した形成位置、および流通方向に限らない。
例えば、前記第２実施形態において、冷却流体の流通方向を逆に設定し、流入口５４０５Ｉおよび流出口５４０６Ｉをそれぞれ流出口および流入口として機能させる構成を採用してもよい。
また、前記各実施形態において、一対の枠状部材４４０５，４４０６，５４０５，５４０６に形成される連通口の形成位置および数は、特に限定されない。
例えば、前記第１実施形態では、第１連通口としての筒状部４４０６Ｃおよび挿通孔４４０５Ｃは、１つのみ形成されていたが、これに限らず、２つ以上形成してもよい。また、筒状部４４０６Ｃおよび挿通孔４４０５Ｃは、下方側の左右方向略中央部分に形成されていたが、これに限らず、その他の位置に形成してもよい。筒状部４４０６Ｄおよび挿通孔４４０５Ｄも同様である。また、第２実施形態における筒状部５４０５Ｃ，５４０６Ｄおよび挿通孔５４０６Ｃ，５４０５Ｄも同様である。
【０１１２】
前記各実施形態では、流体循環部材４４８にて、隣接する光変調素子保持体４４０２，５４０２を、光変調素子保持体４４０２Ｂ，５４０２Ｂ〜光変調素子保持体４４０２Ｇ，５４０２Ｇ〜光変調素子保持体４４０２Ｒ，５４０２Ｒの流路を冷却流体が流通するように各冷却室を直列に接続していたが、これに限らない。
例えば、光変調素子保持体４４０２Ｒ，５４０２Ｒ〜光変調素子保持体４４０２Ｇ，５４０２Ｇ〜光変調素子保持体４４０２Ｂ，５４０２Ｂの流路を冷却流体が流通するように流体循環部材４４８にて各冷却室を直列に接続してもよい。
また、例えば、光変調素子保持体４４０２Ｇ，５４０２Ｇ〜光変調素子保持体４４０２Ｂ，５４０２Ｂ〜光変調素子保持体４４０２Ｒ，５４０２Ｒの流路を冷却流体が流通するように流体循環部材４４８にて各冷却室を直列に接続してもよい。
さらに、例えば、光変調素子保持体４４０２Ｒ，５４０２Ｒ〜光変調素子保持体４４０２Ｂ，５４０２Ｂ〜光変調素子保持体４４０２Ｇ，５４０２Ｇの流路を冷却流体が流通するように流体循環部材４４８にて各冷却室を直列に接続してもよい。
【０１１３】
前記各実施形態では、光学装置４４において、メインタンク４４５、流体圧送部４４６、およびラジエータ４４７を備えた構成を説明したが、これに限らず、これらメインタンク４４５、流体圧送部４４６、およびラジエータ４４７のうち少なくともいずれかを省略した構成も本発明の目的を十分に達成できる。
【０１１４】
前記各実施形態では、一対の枠状部材４４０５，４４０６，５４０５，５４０６の外面に入射側偏光板４４２および射出側偏光板４４３を配置し、該入射側偏光板４４２および射出側偏光板４４３の透光性基板４４２Ａ，４４３Ａにて各冷却室Ｒ１〜Ｒ４を閉塞していたが、これに限らず、偏光膜が貼り付けられていないガラス等の透光性基板で各冷却室Ｒ１〜Ｒ４を閉塞してもよい。この際、入射側偏光板および射出側偏光板としては、前記各実施形態で説明した吸収型偏光板ではなく、所定の偏光軸を有する光束を透過し、その他の偏光軸を有する光束を反射する反射型偏光板とすれば、入射側偏光板および射出側偏光板を冷却流体にて冷却しなくても、光源から射出される光束による温度上昇を抑制できる。
また、光学変換素子として入射側偏光板４４２および射出側偏光板４４３を採用し、これら入射側偏光板４４２および射出側偏光板４４３を冷却流体にて冷却する構成を採用したが、これに限らず、光学変換素子としては、位相差板、あるいは視野角補正板を採用し、これらの光学変換素子を冷却流体にて冷却する構成を採用してもよい。
【０１１５】
前記各実施形態において、冷却流体と接触する部材である、流体循環部材４４８、メインタンク４４５、流体圧送部４４６、ラジエータ４４７の管状部材４４７２、枠状部材４４０５，４４０６，５４０５，５４０６、中継タンク４４０４、第１中継タンク５４０１、第２中継タンク５４０４は、アルミニウム製の部材から構成したが、これに限らない。耐食性を有する材料であれば、アルミニウムに限らず、他の材料にて構成してもよく、例えば、無酸素銅やジュラルミンにて構成してもよい。また、流体循環部材４４８としては、光変調素子保持体４４０２，５４０２への変形反力が小さく画素ずれを抑制する硬度の低いブチルゴムまたはフッ素ゴム等を使用してもよい。
【０１１６】
前記実施形態において、突出部５４０５Ｃ２の形成位置は、前記流入口の中心軸と交差する位置に限らず、冷却流体による冷却対象となる液晶パネル４４１、入射側偏光板４４２、および射出側偏光板４４３の発熱量の大きさに応じた位置に形成すればよい。例えば、液晶パネル４４１の対向基板４４１Ｄおよび入射側偏光板４４２の発熱量が、液晶パネル４４１の駆動基板４４１Ｃおよび射出側偏光板４４３の発熱量に比較して大きい場合には、突出部５４０５Ｃ２を、前記流入口の中心軸と交差する位置から光束射出側に所定距離ずらした位置に形成すればよい。逆に、液晶パネル４４１の駆動基板４４１Ｃおよび射出側偏光板４４３の発熱量が、液晶パネル４４１の対向基板４４１Ｄおよび入射側偏光板４４２の発熱量に比較して大きい場合には、突出部５４０５Ｃ２を、前記流入口の中心軸と交差する位置から光束入射側に所定距離ずらした位置に形成すればよい。
また、突出部５４０５Ｃ２の形状は、略三角柱状の形状に限らず、前記流入口から流入した冷却流体を光束入射側および光束射出側に分流可能な形状であれば、その他の形状であってもかまわない。例えば、前記２つの側面が内部側に窪み、前記側面が断面略凹形状となる構成、または、前記２つの側面が外側に膨出し、突出部が断面略半球状となる構成等を採用してもよい。
【０１１７】
前記各実施形態では、光学ユニット４が平面視略Ｌ字形状を有した構成を説明したが、これに限らず、例えば、平面視略Ｕ字形状を有した構成を採用してもよい。
前記各実施形態では、３つの液晶パネル４４１を用いたプロジェクタ１の例のみを挙げたが、本発明は、１つの液晶パネルのみを用いたプロジェクタ、２つの液晶パネルのみを用いたプロジェクタ、あるいは、４つ以上の液晶パネルを用いたプロジェクタにも適用可能である。
前記各実施形態では、光入射面と光射出面とが異なる透過型の液晶パネルを用いていたが、光入射面と光射出面とが同一となる反射型の液晶パネルを用いてもよい。
前記各実施形態では、光変調素子として液晶パネルを用いていたが、マイクロミラーを用いたデバイスなど、液晶以外の光変調素子を用いてもよい。この場合は、光束入射側および光束射出側の偏光板は省略できる。
前各記実施形態では、スクリーンを観察する方向から投写を行なうフロントタイプのプロジェクタの例のみを挙げたが、本発明は、スクリーンを観察する方向とは反対側から投写を行なうリアタイプのプロジェクタにも適用可能である。
【０１１８】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【産業上の利用可能性】
【０１１９】
本発明の光学装置は、冷却流体により光変調素子を冷却し、光変調素子が複数で構成された場合であっても小型化が図れるため、ホームシアターやプレゼンテーションで利用されるプロジェクタの光学装置として有用である。
【図面の簡単な説明】
【０１２０】
【図１】各実施形態におけるプロジェクタの概略構成を模式的に示す図。
【図２】第１実施形態におけるプロジェクタ内の一部を上方側から見た斜視図。
【図３】前記実施形態におけるメインタンクの構造を示す図。
【図４】前記実施形態における光学装置本体の概略構成を示す図。
【図５】前記実施形態における光学装置本体の概略構成を示す図。
【図６】前記実施形態における中継タンクの構造を示す図。
【図７】前記実施形態における光変調素子保持体の概略構成を示す分解斜視図。
【図８】前記実施形態における枠状部材の概略構成を示す図。
【図９】前記実施形態における枠状部材の概略構成を示す図。
【図１０】前記実施形態におけるラジエータの構造、およびラジエータと軸流ファンとの配置関係を示す図。
【図１１】前記実施形態における液晶パネル、入射側偏光板、および射出側偏光板の冷却構造を説明するための図。
【図１２】前記実施形態における液晶パネル、入射側偏光板、および射出側偏光板の冷却構造を説明するための図。
【図１３】前記実施形態における液晶パネル、入射側偏光板、および射出側偏光板の冷却構造を説明するための図。
【図１４】前記実施形態における液晶パネル、入射側偏光板、および射出側偏光板の冷却構造を説明するための図。
【図１５】第２実施形態における光学装置本体の概略構成を示す図。
【図１６】前記実施形態における光学装置本体の概略構成を示す図。
【図１７】前記実施形態における第１中継タンクの構造を示す図。
【図１８】前記実施形態における光変調素子保持体の概略構成を示す分解斜視図。
【図１９】前記実施形態における枠状部材の概略構成を示す図。
【図２０】前記実施形態における枠状部材の概略構成を示す図。
【図２１】前記実施形態における第２中継タンクの構造を示す図。
【図２２】前記実施形態における液晶パネル、入射側偏光板、および射出側偏光板の冷却構造を説明するための図。
【図２３】前記実施形態における液晶パネル、入射側偏光板、および射出側偏光板の冷却構造を説明するための図。
【図２４】前記実施形態における液晶パネル、入射側偏光板、および射出側偏光板の冷却構造を説明するための図。
【符号の説明】
【０１２１】
１・・・プロジェクタ、５・・・投射レンズ（投射光学装置）、４４・・・光学装置、４１１・・・光源装置、４４１，４４１Ｒ，４４１Ｇ，４４１Ｂ・・・液晶パネル（光変調素子）、４４２Ａ，４４３Ａ・・・透光性基板、４４４・・・クロスダイクロイックプリズム（色合成光学装置）、４４８・・・流体循環部材、４４０２，５４０２・・・光変調素子保持体、４４０４・・・中継タンク（冷却流体中継部）、４４０４Ｃ・・・隔壁、４４０５，４４０６，５４０５，５４０６・・・枠状部材、４４０５Ａ，４４０６Ａ，５４０５Ａ，５４０６Ａ・・・開口、４４０６Ｅ・・・凹部、４４０６Ｈ，５４０６Ｉ・・・流入口、４４０６Ｉ，５４０６Ｉ・・・流出口、４４０６Ｎ・・・隔壁、５４０１・・・第１中継タンク（第１中継部）、５４０４・・・第２中継タンク（第２中継部）、Ａｒ１，Ａｒ２・・・領域、Ｒ１，Ｒ２，Ｒ３，Ｒ４・・・冷却室。
【図１】
2005249950.tif 000003
【図２】
2005249950.tif 000004
【図３】
2005249950.tif 000005
【図４】
2005249950.tif 000006
【図５】
2005249950.tif 000007
【図６】
2005249950.tif 000008
【図７】
2005249950.tif 000009
【図８】
2005249950.tif 000010
【図９】
2005249950.tif 000011
【図１０】
2005249950.tif 000012
【図１１】
2005249950.tif 000013
【図１２】
2005249950.tif 000014
【図１３】
2005249950.tif 000015
【図１４】
2005249950.tif 000016
【図１５】
2005249950.tif 000017
【図１６】
2005249950.tif 000018
【図１７】
2005249950.tif 000019
【図１８】
2005249950.tif 000020
【図１９】
2005249950.tif 000021
【図２０】
2005249950.tif 000022
【図２１】
2005249950.tif 000023
【図２２】
2005249950.tif 000024
【図２３】
2005249950.tif 000025
【図２４】
2005249950.tif 000026